(57)【要約】【課題】透過率を低下させることなく、画像表示パターンによらず色視野角特性を改善できる液晶表示装置を提供する。【解決手段】液晶表示装置ＬＣＤは、横電界方式の第１液晶セルＯＣ１と、横電界方式の第２液晶セルＯＣ２と、第１液晶セルＯＣ１を挟むように配置された第１偏光板ＰＯＬ１及び第２偏光板ＰＯＬ２と、第２液晶セルＯＣ２を挟むように配置された第３偏光板ＰＯＬ３及び第４偏光板ＰＯＬ４とを備え、所定の方向から見たときの第１液晶セルＯＣ１又は第２液晶セルＯＣ２の色相変化を、第１液晶層ＬＣ１の液晶分子の回転と第２液晶層ＬＣ２の液晶分子の回転とによって相殺補償するように構成されている。【選択図】図３
2018097155.tif 000002
【特許請求の範囲】
【請求項１】
第１基板及び第２基板の間に設けられた第１液晶層を有し、かつ、複数の表示単位領域の各々に設けられた第１画素電極及び第１共通電極を有する第１液晶セルと、
第３基板及び第４基板の間に設けられた第２液晶層を有し、かつ、複数の表示単位領域の各々に設けられた第２画素電極及び第２共通電極を有する第２液晶セルと、
前記第１液晶セルを挟むように配置された第１偏光板及び第２偏光板と、
前記第２液晶セルを挟むように配置された第３偏光板及び第４偏光板と、を備える液晶表示装置であって、
前記第１液晶セルでは、前記第１液晶層の液晶分子に対する前記第１基板及び前記第２基板の配向軸が略平行になっており、前記第１画素電極と前記第１共通電極との間に発生する横電界によって前記第１液晶層の液晶分子が回転し、
前記第２液晶セルでは、前記第２液晶層の液晶分子に対する前記第３基板及び前記第４基板の配向軸が略平行になっており、前記第２画素電極と前記第２共通電極との間に発生する横電界によって前記第２液晶層の液晶分子が回転し、
前記第１液晶セルと前記第２液晶セルとは、前記第２基板と前記第３基板とが内側となるように積層され、
前記第２偏光板及び前記第３偏光板は、前記第１液晶セルと前記第２液晶セルとの間に配置され、かつ、偏光軸が互いに略平行であり、
前記第１偏光板及び前記第４偏光板は、偏光軸が前記第２偏光板と略直交しており、
前記液晶表示装置は、所定の方向から見たときの前記第１液晶セル又は前記第２液晶セルの色相変化を、前記第１液晶層の液晶分子の回転と前記第２液晶層の液晶分子の回転とによって相殺補償するように構成されている、
液晶表示装置。
【請求項２】
前記第１液晶セルの前記複数の表示単位領域の各々の主な光透過領域では、前記第１液晶層の前記液晶分子は、一方向に回転し、
前記第２液晶セルの前記複数の表示単位領域の各々では、前記第２液晶層の前記液晶分子は、一方向に回転する、
請求項１に記載の液晶表示装置。
【請求項３】
前記第１液晶層の液晶分子の回転方向と前記第２液晶層の液晶分子の回転方向とが同じである、
請求項１又は２に記載の液晶表示装置。
【請求項４】
前記第１液晶セルにおける前記配向軸と前記第２液晶セルにおける前記配向軸とが略直交している、
請求項１〜３のいずれか１項に記載の液晶表示装置。
【請求項５】
前記第１液晶セル及び前記第２液晶セルに前記横電界が発生している場合、前記第１液晶層の液晶分子の長軸方向と前記第２液晶層の液晶分子の短軸方向とが略一致している、
請求項１〜４のいずれか１項に記載の液晶表示装置。
【請求項６】
前記第１液晶セル及び前記第２液晶セルに前記横電界が発生していない場合、前記第１液晶層の液晶分子の長軸方向と前記第２液晶層の液晶分子の長軸方向とが略直交している、
請求項１〜５のいずれか１項に記載の液晶表示装置。
【請求項７】
前記第１画素電極と前記第１共通電極との間に発生する横電界の電界方向と、前記第２画素電極と前記第２共通電極との間に発生する横電界の電界方向とが略同じである、
請求項１〜６のいずれか１項に記載の液晶表示装置。
【請求項８】
前記第１液晶層の液晶分子及び前記第２液晶層の液晶分子は、一方がポジ型であり、他方がネガ型である、
請求項１〜７のいずれか１項に記載の液晶表示装置。
【請求項９】
前記第１液晶セルは、第１方向に延在する第１ソース配線を有し、
前記第２液晶セルは、前記第１方向に延在する第２ソース配線を有し、
前記第１画素電極又は前記第１共通電極は、前記第１ソース配線と略平行に延在し、
前記第２画素電極又は前記第２共通電極は、前記第２ソース配線と略平行に延在し、
前記第１液晶層の液晶分子は、ポジ型であり、
前記第２液晶層の液晶分子は、ネガ型である、
請求項１〜７のいずれか１項に記載の液晶表示装置。
【請求項１０】
前記第１液晶セルは、第１ゲート配線を有し、
前記第２液晶セルは、第２ゲート配線を有し、
前記第１画素電極又は前記第１共通電極は、前記第１ゲート配線と略直交する方向に延在し、
前記第２画素電極又は前記第２共通電極は、前記第２ゲート配線と略直交する方向に延在している、
請求項９に記載の液晶表示装置。
【請求項１１】
前記第１液晶セルは、第１方向に延在する第１ソース配線を有し、
前記第２液晶セルは、前記第１方向に延在する第２ソース配線を有し、
前記第１画素電極又は前記第１共通電極は、前記第１ソース配線と略平行に延在し、
前記第２画素電極又は前記第２共通電極は、前記第２ソース配線と略直交する方向に延在し、
前記第１液晶層の液晶分子及び前記第２液晶層の液晶分子は、いずれもポジ型である、
請求項１〜７のいずれか１項に記載の液晶表示装置。
【請求項１２】
前記第１液晶セルは、第１ゲート配線を有し、
前記第２液晶セルは、第２ゲート配線を有し、
前記第１画素電極又は前記第１共通電極は、前記第１ゲート配線と略直交する方向に延在し、
前記第２画素電極又は前記第２共通電極は、前記第２ゲート配線と略平行に延在している、
請求項１１に記載の液晶表示装置。
【請求項１３】
前記第１液晶セルは、第１方向に延在する第１ソース配線を有し、
前記第２液晶セルは、前記第１方向に延在する第２ソース配線を有し、
前記第１画素電極又は前記第１共通電極は、前記第１ソース配線と略直交する方向に延在し、
前記第２画素電極又は前記第２共通電極は、前記第２ソース配線と略直交する方向に延在し、
前記第１液晶層の液晶分子は、ポジ型であり、
前記第２液晶層の液晶分子は、ネガ型である、
請求項１〜７のいずれか１項に記載の液晶表示装置。
【請求項１４】
前記第１液晶セルは、第１ゲート配線を有し、
前記第２液晶セルは、第２ゲート配線を有し、
前記第１画素電極又は前記第１共通電極は、前記第１ゲート配線と略平行に延在し、
前記第２画素電極又は前記第２共通電極は、前記第２ゲート配線と略平行に延在している、
請求項１３に記載の液晶表示装置。
【請求項１５】
前記第１液晶セルは、第１方向に延在する第１ソース配線を有し、
前記第２液晶セルは、前記第１方向に延在する第２ソース配線を有し、
前記第１画素電極又は前記第１共通電極は、前記第１ソース配線と略直交する方向に延在し、
前記第２画素電極又は前記第２共通電極は、前記第２ソース配線と略平行に延在し、
前記第１液晶層の液晶分子及び前記第２液晶層の液晶分子は、いずれもポジ型である、
請求項１〜７のいずれか１項に記載の液晶表示装置。
【請求項１６】
前記第１液晶セルは、第１ゲート配線を有し、
前記第２液晶セルは、第２ゲート配線を有し、
前記第１画素電極又は前記第１共通電極は、前記第１ゲート配線と略平行に延在し、
前記第２画素電極又は前記第２共通電極は、前記第２ゲート配線と略直交する方向に延在している、
請求項１５に記載の液晶表示装置。
【請求項１７】
前記第１液晶セルは、第１方向に延在する第１ソース配線と、前記第１方向に略直交する第２方向に延在する第１ゲート配線とを有し、
前記第２液晶セルは、前記第１方向に延在する第２ソース配線と、前記第２方向に延在する第２ゲート配線とを有し
前記第１ソース配線又は前記第１ゲート配線は、前記第１偏光板又は前記第２偏光板の偏光軸と略平行であり、
前記第２ソース配線又は前記第２ゲート配線は、前記第３偏光板又は前記第４偏光板の偏光軸と略平行である、
請求項１〜８のいずれか１項に記載の液晶表示装置。
【請求項１８】
前記第１画素電極又は前記第１共通電極は、前記第１ソース配線に対して傾斜するように延在し、
前記第２画素電極又は前記第２共通電極は、前記第２ソース配線に対して傾斜するように延在している、
請求項１７に記載の液晶表示装置。
【請求項１９】
前記第１液晶セルにおける前記配向軸と前記第２液晶セルにおける前記配向軸とが略平行である、
請求項１７又は１８に記載の液晶表示装置。
【請求項２０】
前記第１液晶セル及び前記第２液晶セルは、行毎マルチドメイン方式により駆動される、
請求項１〜１９のいずれか１項に記載の液晶表示装置。
【発明の詳細な説明】
【技術分野】
【０００１】
本開示は、液晶表示装置に関し、特に横電界方式の液晶表示装置に関する。
【背景技術】
【０００２】
従来より、横電界方式の液晶表示装置が知られている。横電界方式の液晶表示装置としては、例えば、ＩＰＳ（Ｉｎ−Ｐｌａｎｅ  Ｓｗｉｔｃｈｉｎｇ）方式及びＦＦＳ（Ｆｒｉｎｇｅ  Ｆｉｅｌｄ  Ｓｗｉｔｃｈｉｎｇ）方式がある。
【０００３】
ＩＰＳ方式の液晶表示装置では、各画素において、櫛歯状又はスリットが形成された画素電極と、櫛歯状又はスリットが形成された共通電極（コモン電極）とが互い違いに配置された構造となっている。一方、ＦＦＳ方式の液晶表示装置では、各画素において、画素一面に形成された平面状の共通電極の上に、櫛歯状やスリットが形成された画素電極が配置された構造となっている。
【０００４】
図３８Ａは、従来の横電界方式の液晶表示装置の画素構成の一例を示す断面図である。図３８Ｂは、図３８Ａに示す従来の横電界方式の液晶表示装置の画素構成の平面図である。
【０００５】
図３８Ａに示すように、従来の横電界方式の液晶表示装置は、ガラス基板等からなる一対の第１基板ＳＵＢ１及び第２基板ＳＵＢ２と、第１基板ＳＵＢ１及び第２基板ＳＵＢ２の間に封止された液晶層ＬＣと、第１基板ＳＵＢ１の外側に配置された第１偏光板ＰＯＬ１と、第２基板ＳＵＢ２の外側に配置された第２偏光板ＰＯＬ２と、バックライトＢＬとを備える。なお、第１偏光板ＰＯＬ１と第２偏光板ＰＯＬ２とはクロスニコルの位置関係となるように配置されている。つまり、第１偏光板ＰＯＬ１の偏光軸ＰＯＬＡ１と第２偏光板ＰＯＬ２の偏光軸ＰＯＬＡ２とは直交している。
【０００６】
第１基板ＳＵＢ１の内側面には、配向膜ＯＲＩが形成されている。また、第２基板ＳＵＢ２の内側面には、共通電極ＣＴ、上部絶縁膜ＵＰＡＳ、画素電極ＰＸ及び配向膜ＯＲＩがこの順で形成されている。液晶層ＬＣは、例えばポジ型の液晶分子ＬＣＢＰによって構成されている。
【０００７】
このような構造の横電界方式の液晶表示装置では、画素電極ＰＸ及び共通電極ＣＴに電圧を印加することにより、画素電極ＰＸと共通電極ＣＴとの間に一対の第１基板ＳＵＢ１及び第２基板ＳＵＢ２に略平行な方向の電界（横電界ＥＬ）が発生する。これにより、図３８Ｂに示すように、初期配向角度ＴＨＩＮにしたがって、液晶層ＬＣの液晶分子ＬＣＢＰが回転する。具体的には、横電界ＥＬが発生すると、液晶分子ＬＣＢＰは、初期配向状態である液晶分子ＬＣＢＰＯＦＦの状態から角度ＴＨＯＮの位置まで回転して液晶分子ＬＣＢＰＯＮの状態になる。図３８Ｂでは、横電界ＥＬによって液晶分子ＬＣＢＰは右回転する。
【０００８】
なお、液晶分子ＬＣＢＰがポジ型であるので、液晶分子ＬＣＢＰＯＦＦの初期配向角度ＴＨＩＮは、配向膜ＲＯＩの界面付近に存在する液晶分子ＬＣＢＰＯＦＦの長軸方向（初期配向軸方向）と９０°−２７０°線とのなす角である。液晶分子ＬＣＢＰＯＦＦの長軸方向は、第２偏光板ＰＯＬ２の偏光軸（吸収軸）ＰＯＬＡ２の方向に略一致している。初期配向角度ＴＨＩＮは、例えば、０°＜ＴＨＩＮ＜２０°である。
【０００９】
また、液晶分子ＬＣＢＰＯＮの角度ＴＨＯＮは、液晶分子ＬＣＢＰに横電界が与えられたときの白表示の際の液晶分子ＬＣＢＰＯＮの長軸方向と９０°−２７０°線とのなす角である。
【００１０】
このように、横電界方式の液晶表示装置では、第１基板ＳＵＢ１及び第２基板ＳＵＢ２と略平行な方向の電界を液晶分子ＬＣＢＰに与えることによって液晶分子ＬＣＢＰを基板面内で回転させる。そのため、横電界方式では、視角方向を変化させても液晶層ＬＣの見かけのリタデーションＲがあまり変化せず、縦電界方式と比べて極めて広い視野角が得られる。なお、リタデーションＲは、液晶層ＬＣの厚さをｄとし、液晶分子ＬＣＢＰの屈折率異方性（屈折率差）をΔｄとすると、Ｒ＝Δｎ・ｄで表される。
【００１１】
しかしながら、横電界方式の液晶表示装置では、特定の方向に色付き（着色）が発生する。つまり、色相が変化（色シフト）する方向が存在する。色相が変化する方向は、電圧印加状態（白表示）における液晶分子ＬＣＢＰＯＮの向きに関係する。この点について、図３９を用いて、以下詳細に説明する。図３９は、横電界方式の液晶表示装置における色相変化を説明するための図である。
【００１２】
液晶表示装置において、透過率Ｔは、Ｔ＝Ｔ０ｓｉｎ２（２Φ）・ｓｉｎ２（π・Δｎ・ｄ／λ）で表される。ここで、Ｔ０は、参照光に対する透過率であり、Φは、液晶分子ＬＣＢＰの光軸と偏光板の偏光軸とのなす角であり、Δｎは、屈折率異方性（液晶分子ＬＣＢＰの長軸屈折率−液晶分子ＬＣＢＰの短軸屈折率）であり、ｄは、液晶層ＬＣの厚みであり、λは、入射光の波長である。
【００１３】
そして、最大の透過率Ｔを得るには、Φがπ／４（４５°）であり、かつ、Δｎ・ｄ／λ＝π／２となる場合である。しかし、このとき、見る方向によって電圧印加状態の液晶分子ＬＣＢＰＯＮの屈折率異方性Δｎが変化してΔｎ・ｄも変化するので、入射光の波長λは、π／２を満足させるように変化する。
【００１４】
具体的には、図３９に示すように、液晶分子ＬＣＢＰＯＮの短軸側に向かって見る方向（長軸方向に沿って見る場合）では、Δｎが減少するにつれて、最大の透過率Ｔに至るための入射光の波長λは相対的に短くなる。これにより、観察者は、白色光において相対的に短い波長である青色を見ることになる。つまり、液晶分子ＬＣＢＰの長軸方向から見た場合、青色にシフトして青色の着色（青着色）が発生する（図３８Ａも参照）。
【００１５】
一方、液晶分子ＬＣＢＰＯＮの長軸側に向かって見る方向（短軸方向に沿って見る場合）では、Δｎが増大するにつれて、入射光の波長λは相対的に長くなる。これにより、観察者は、白色光において相対的に長い波長である黄色を見ることになる。つまり、液晶分子ＬＣＢＰの短軸方向から見た場合、黄色にシフトして黄色の着色（黄着色）が発生する（図３８Ａも参照）。
【００１６】
このように、シングルドメインの画素構造を有する横電界方式の液晶表示装置では、液晶分子ＬＣＢＰの長軸が向く角度で色相の変化が発生し、色視野角特性が劣化する。
【００１７】
この色視野角特性の劣化を改善する方法としては、マルチドメイン、ダブルドメイン、デュアルドメイン等と呼ばれる手法が知られている（例えば特許文献１〜４）。すなわち、表示制御の最小単位となる画素（ドット）内において、画素電極ＰＸ及び共通電極ＣＴのパターン、第１偏光板ＰＯＬ１の偏光軸ＰＯＬＡ１及び第２偏光板ＰＯＬ２の偏光軸ＰＯＬＡ２、並びに、初期配向角度ＴＨＩＮ等を調整することで、観察者が所定の斜め方向から液晶表示装置を見たときに、電圧印加状態の液晶分子ＬＣＢＰＯＮの長軸方向から見る際の青着色と同時に、電圧印加状態の液晶分子ＬＣＢＰＯＮの短軸方向を見る際の黄着色を見るような状態にしている。
【００１８】
具体的には、ＴＦＴが駆動する一画素内において、回転方向が時計回りとなる液晶分子ＬＣＢＰと回転方向が反時計回りとなる液晶分子ＬＣＢＰとを作り出している。すなわち、画素電極ＰＸから共通電極ＣＴに至る電界方向に向かって右回転と左回転の液晶分子ＬＣＢＰが存在するように構成している。これにより、青着色の色付きと黄着色の色付きとが相殺されて色視野角特性が改善する。
【００１９】
図４０は、マルチドメイン方式により色視野角特性を改善する横電界方式の液晶表示装置の構成を示す図である。
【００２０】
図４０に示すように、一画素内において、画素電極ＰＸ及び共通電極ＣＴを「く」の字状に屈曲させることで、画素電極ＰＸと共通電極ＣＴとの間に二方向の横電界ＥＯＬ及びＥＯＲを発生させる。
【００２１】
これにより、横電界ＥＯＬが与えられた液晶分子ＬＣＢＰは、初期配向角度ＴＨＩＮにしたがって液晶分子ＬＣＢＰＯＦＦの状態から角度ＴＨＯＮＬの位置まで左回転して液晶分子ＬＣＢＰＯＮの状態になる。
【００２２】
一方、横電界ＥＯＲが与えられた液晶分子ＬＣＢＰは、初期配向角度ＴＨＩＮにしたがって液晶分子ＬＣＢＰＯＦＦの状態から角度ＴＨＯＮＲの位置まで右回転して液晶分子ＬＣＢＰＯＮの状態になる。
【００２３】
この結果、特定の方向から見たときの青着色の色付きと黄着色の色付きとを相殺することができるので、色視野角特性を改善することができる。
【先行技術文献】
【特許文献】
【００２４】
【特許文献１】特開平９−１０５９０８号公報
【特許文献２】特開平９−２５８２６９号公報
【特許文献３】特開平１０−１４８８２６号公報
【特許文献４】特開２０００−０２９０７２号公報
【発明の概要】
【発明が解決しようとする課題】
【００２５】
しかしながら、図４０に示される画素電極ＰＸの構成では、左回転する液晶分子ＬＣＢＰが存在する領域（横電界ＥＯＬが発生する領域）と右回転する液晶分子ＬＣＢＰが存在する領域（横電界ＥＯＲが発生する領域）との境界領域ＷＬＴにおいては、横電界ＥＯＬ及びＥＯＲの発生時に液晶分子ＬＣＢＰの長軸方向が第１偏光板ＰＯＬ１及び第２偏光板ＰＯＬ２の偏光軸に対して所定の方向にならず透過率が低下する。この結果、液晶表示装置全体の透過率が低下、つまり、液晶表示装置の明るさが低下する。このように、１画素内に電界方向の異なる２つの横電界を発生させて色視野角特性を改善する一画素マルチドメイン方式では、透過率が低下するという副作用を伴う。
【００２６】
そこで、図４１に示すように、一行毎に液晶分子ＬＣＢＰの回転方向を逆にすることで色視野角特性を改善する方法が提案されている。つまり、横電界を発生させる際（白表示の際）、ある行の液晶分子ＬＣＢＰを左回転させ、次の行の液晶分子ＬＣＢＰを右回転させるという行毎マルチドメイン方式である。なお、図４１において、ゲート配線ＧＬは、行方向に沿って直線状に形成されており、ソース配線ＳＬは、列方向に沿って画素電極ＰＸと略平行するように屈曲するように形成されている。
【００２７】
この行毎マルチドメイン方式では、画像表示領域全体を白表示する場合又は複数行にわたって同一データを表示する場合は、画面を所定の斜め方向から見た場合の黄着色又は青着色の色付きが発生しない。これは、上下の行の液晶分子ＬＣＢＰの回転方向が逆になり色変化を補償できるからである。例えば、図４２に示すように、画像表示領域ＤＩＳＰ全体を白表示にする場合（全白表示）、行毎に液晶分子の左回転と右回転とによって斜め方向から見たときの着色を相殺することができる。しかも、この方式は、１ドット（画素）内でみれば、液晶分子ＬＣＢＰは、シングルドメイン方式により駆動されて１つの方向のみに回転するので、上記一画素マルチドメイン方式のように透過率が低下する領域が発生しない。このように、行毎マルチドメイン方式では、画像表示領域全体を白表示にする場合又は複数行にわたって同一データを表示する場合には、色視野角特性を改善できるとともに、透過率の低下を抑制して明るい液晶表示装置を実現できる。
【００２８】
しかしながら、行毎マルチドメイン方式であっても、特定の画像パターン表示については色視野角特性が劣化するという課題がある。例えば、図４３に示すように、一行毎に白ラインと黒ラインとを交互に表示した場合、黒表示の行では液晶分子ＬＣＢＰが回転せずに光透過がないので、所定の斜め方向から見たときに青着色又は黄着色の色付きが発生してしまい、色視野角特性が劣化する。
【００２９】
本開示は、このような課題を解決するものであり、透過率を低下させることなく、画像表示パターンによらず色視野角特性を改善できる液晶表示装置を提供することを目的とする。
【課題を解決するための手段】
【００３０】
上記目的を達成するために、本開示に係る液晶表示装置の一態様は、第１基板及び第２基板の間に設けられた第１液晶層を有し、かつ、複数の表示単位領域の各々に設けられた第１画素電極及び第１共通電極を有する第１液晶セルと、第３基板及び第４基板の間に設けられた第２液晶層を有し、かつ、複数の表示単位領域の各々に設けられた第２画素電極及び第２共通電極を有する第２液晶セルと、前記第１液晶セルを挟むように配置された第１偏光板及び第２偏光板と、前記第２液晶セルを挟むように配置された第３偏光板及び第４偏光板と、を備える液晶表示装置であって、前記第１液晶セルでは、前記第１液晶層の液晶分子に対する前記第１基板及び前記第２基板の配向軸が略平行になっており、前記第１画素電極と前記第１共通電極との間に発生する横電界によって前記第１液晶層の液晶分子が回転し、前記第２液晶セルでは、前記第２液晶層の液晶分子に対する前記第３基板及び前記第４基板の配向軸が略平行になっており、前記第２画素電極と前記第２共通電極との間に発生する横電界によって前記第２液晶層の液晶分子が回転し、前記第１液晶セルと前記第２液晶セルとは、前記第２基板と前記第３基板とが内側となるように積層され、前記第２偏光板及び前記第３偏光板は、前記第１液晶セルと前記第２液晶セルとの間に配置され、かつ、偏光軸が互いに略平行であり、前記第１偏光板及び前記第４偏光板は、偏光軸が前記第２偏光板と略直交しており、前記液晶表示装置は、所定の方向から見たときの前記第１液晶セル又は前記第２液晶セルの色相変化を、前記第１液晶層の液晶分子の回転と前記第２液晶層の液晶分子の回転とによって相殺補償するように構成されている。
【発明の効果】
【００３１】
透過率を低下させることなく、画像表示パターンによらず色視野角特性を改善できる。
【図面の簡単な説明】
【００３２】
【図１】実施の形態１に係る液晶表示装置の分解斜視図である。
【図２】実施の形態１に係る液晶表示装置における第１液晶表示パネル及び第２液晶表示パネルのドライバの構成を示す図である。
【図３】実施の形態１に係る液晶表示装置の断面図である。
【図４】実施の形態１に係る液晶表示装置の断面図である。
【図５Ａ】実施の形態１に係る液晶表示装置における第１液晶表示パネルの概略構成を模式的に示す図である。
【図５Ｂ】図５Ａにおける第１液晶表示パネルの１つ分の画素の回路構成を示す図である。
【図６Ａ】実施の形態１に係る液晶表示装置における第２液晶表示パネルの概略構成を模式的に示す図である。
【図６Ｂ】図６Ａにおける第２液晶表示パネルの１つ分の画素の回路構成を示す図である。
【図７】（ａ）は、実施の形態１に係る第１液晶表示パネルの画素のレイアウトを示す図であり、（ｂ）は、実施の形態１に係る第１液晶セルの第１液晶層における液晶分子の回転の動きを示す図である。
【図８】（ａ）は、実施の形態１に係る第２液晶表示パネルの画素のレイアウトを示す図であり、（ｂ）は、実施の形態１に係る第２液晶セルの第２液晶層における液晶分子の回転の動きを示す図である。
【図９】実施の形態１の変形例に係る液晶表示装置の断面図である。
【図１０】実施の形態１の変形例に係る液晶表示装置の断面図である。
【図１１】（ａ）は、実施の形態１の変形例に係る第１液晶表示パネルの画素のレイアウトを示す図であり、（ｂ）は、実施の形態１の変形例に係る第１液晶セルの第１液晶層における液晶分子の回転の動きを示す図である。
【図１２】（ａ）は、実施の形態１の変形例に係る第２液晶表示パネルの画素のレイアウトを示す図であり、（ｂ）は、実施の形態１の変形例に係る第２液晶セルの第２液晶層における液晶分子の回転の動きを示す図である。
【図１３】実施の形態２に係る液晶表示装置における第１液晶表示パネル及び第２液晶表示パネルのドライバの構成を示す図である。
【図１４】実施の形態２に係る液晶表示装置の断面図である。
【図１５】実施の形態２に係る液晶表示装置の断面図である。
【図１６Ａ】実施の形態２に係る液晶表示装置における第１液晶表示パネルの概略構成を模式的に示す図である。
【図１６Ｂ】図１６Ａにおける第１液晶表示パネルの１つ分の画素の回路構成を示す図である。
【図１７Ａ】実施の形態２に係る液晶表示装置における第２液晶表示パネルの概略構成を模式的に示す図である。
【図１７Ｂ】図１７Ａにおける第２液晶表示パネルの１つ分の画素の回路構成を示す図である。
【図１８】（ａ）は、実施の形態２に係る第１液晶表示パネルの画素のレイアウトを示す図であり、（ｂ）は、実施の形態２に係る第１液晶セルの第１液晶層における液晶分子の回転の動きを示す図である。
【図１９】（ａ）は、実施の形態２に係る第２液晶表示パネルの画素のレイアウトを示す図であり、（ｂ）は、実施の形態２に係る第２液晶セルの第２液晶層における液晶分子の回転の動きを示す図である。
【図２０】実施の形態２の変形例に係る液晶表示装置の断面図である。
【図２１】実施の形態２の変形例に係る液晶表示装置の断面図である。
【図２２】実施の形態２の変形例に係る第１液晶表示パネルの画素のレイアウトを示す図であり、（ｂ）は、実施の形態２の変形例に係る第１液晶セルの第１液晶層における液晶分子の回転の動きを示す図である。
【図２３】（ａ）は、実施の形態２の変形例に係る第２液晶表示パネルの画素のレイアウトを示す図であり、（ｂ）は、実施の形態２の変形例に係る第２液晶セルの第２液晶層における液晶分子の回転の動きを示す図である。
【図２４】（ａ）は、実施の形態３に係る第１液晶表示パネルの画素のレイアウトを示す図であり、（ｂ）は、実施の形態３に係る第１液晶セルの第１液晶層における液晶分子の回転の動きを示す図である。
【図２５】（ａ）は、実施の形態３に係る第２液晶表示パネルの画素のレイアウトを示す図であり、（ｂ）は、実施の形態３に係る第２液晶セルの第２液晶層における液晶分子の回転の動きを示す図である。
【図２６】（ａ）は、実施の形態３の変形例１に係る第１液晶表示パネルの画素のレイアウトを示す図であり、（ｂ）は、実施の形態３の変形例１に係る第１液晶セルの第１液晶層における液晶分子の回転の動きを示す図である。
【図２７】（ａ）は、実施の形態３の変形例１に係る第２液晶表示パネルの画素のレイアウトを示す図であり、（ｂ）は、実施の形態３の変形例１に係る第２液晶セルの第２液晶層における液晶分子の回転の動きを示す図である。
【図２８】（ａ）は、実施の形態３の変形例２に係る第１液晶表示パネルの画素のレイアウトを示す図であり、（ｂ）は、実施の形態３の変形例２に係る第１液晶セルの第１液晶層における液晶分子の回転の動きを示す図である。
【図２９】（ａ）は、実施の形態３の変形例２に係る第２液晶表示パネルの画素のレイアウトを示す図であり、（ｂ）は、実施の形態３の変形例２に係る第２液晶セルの第２液晶層における液晶分子の回転の動きを示す図である。
【図３０】（ａ）は、実施の形態３の変形例３に係る第１液晶表示パネルの画素のレイアウトを示す図であり、（ｂ）は、実施の形態３の変形例３に係る第１液晶セルの第１液晶層における液晶分子の回転の動きを示す図である。
【図３１】（ａ）は、実施の形態３の変形例３に係る第２液晶表示パネルの画素のレイアウトを示す図であり、（ｂ）は、実施の形態３の変形例３に係る第２液晶セルの第２液晶層における液晶分子の回転の動きを示す図である。
【図３２Ａ】実施の形態４に係る液晶表示装置における第１液晶表示パネルの概略構成を模式的に示す図である。
【図３２Ｂ】図３２Ａにおける第１液晶表示パネルの１つ分の画素の回路構成を示す図である。
【図３３Ａ】実施の形態４に係る液晶表示装置における第２液晶表示パネルの概略構成を模式的に示す図である。
【図３３Ｂ】図３３Ａにおける第２液晶表示パネルの１つ分の画素の回路構成を示す図である。
【図３４】（ａ）は、実施の形態４に係る第１液晶表示パネルの画素のレイアウトを示す図であり、（ｂ）は、実施の形態４に係る第１液晶セルの第１液晶層における液晶分子の回転の動きを示す図である。
【図３５】（ａ）は、実施の形態４に係る第２液晶表示パネルの画素のレイアウトを示す図であり、（ｂ）は、実施の形態４に係る第２液晶セルの第２液晶層における液晶分子の回転の動きを示す図である。
【図３６】（ａ）は、実施の形態４の変形例１に係る第２液晶表示パネルの画素のレイアウトを示す図であり、（ｂ）は、実施の形態４の変形例１に係る第２液晶セルの第２液晶層における液晶分子の回転の動きを示す図である。
【図３７】（ａ）は、実施の形態４の変形例２に係る第２液晶表示パネルの画素のレイアウトを示す図であり、（ｂ）は、実施の形態４の変形例２に係る第２液晶セルの第２液晶層における液晶分子の回転の動きを示す図である。
【図３８Ａ】従来の横電界方式の液晶表示装置の画素構成の一例を示す断面図である。
【図３８Ｂ】従来の横電界方式の液晶表示装置の画素構成の一例を示す平面図である。
【図３９】横電界方式の液晶表示装置における色相変化を説明するための図である。
【図４０】マルチドメイン方式により色視野角特性を改善する横電界方式の液晶表示装置の構成を示す図である。
【図４１】行毎マルチドメイン方式により色視野角特性を改善する横電界方式の液晶表示装置の構成を示す図である。
【図４２】行毎マルチドメイン方式による横電界方式の液晶表示装置の画像パターン表示（全白表示）の一例を示す図である。
【図４３】行毎マルチドメイン方式による横電界方式の液晶表示装置の画像パターン表示（白ライン及び黒ラインの交互表示）の一例を示す図である。
【発明を実施するための形態】
【００３３】
以下、本開示の実施の形態について説明する。なお、以下に説明する実施の形態は、いずれも本開示の好ましい一具体例を示すものである。したがって、以下の実施の形態で示される、数値、形状、材料、構成要素、及び、構成要素の配置位置や接続形態などは、一例であって本開示を限定する主旨ではない。よって、以下の実施の形態における構成要素のうち、本開示の最上位概念を示す独立請求項に記載されていない構成要素については、任意の構成要素として説明される。
【００３４】
各図は模式図であり、必ずしも厳密に図示されたものではない。したがって、各図において縮尺等は必ずしも一致していない。なお、本明細書において、「略」とは、製造誤差や寸法公差等を含むという意味である。
【００３５】
（実施の形態１）
［液晶表示装置］
まず、実施の形態１に係る液晶表示装置ＬＣＤの全体の概略構成について、図１及び図２を用いて説明する。
【００３６】
図１は、実施の形態１に係る液晶表示装置ＬＣＤの分解斜視図である。図２は、実施の形態１に係る液晶表示装置ＬＣＤにおける第１液晶表示パネルＬＣＤ１及び第２液晶表示パネルＬＣＤ２のドライバの構成を示す図である。
【００３７】
図１に示すように、液晶表示装置ＬＣＤは、観察者に近い位置（前側）に配置された第１液晶表示パネルＬＣＤ１と、第１液晶表示パネルＬＣＤ１よりも観察者から遠い位置（後側）に配置された第２液晶表示パネルＬＣＤ２と、第１液晶表示パネルＬＣＤ１及び第２液晶表示パネルＬＣＤ２を貼り合わせる接着層ＳＥＦＩＬと、第２液晶表示パネルＬＣＤ２の背面側（後側）に配置されたバックライトＢＬと、観察者側から第１液晶表示パネルＬＣＤ１及び第２液晶表示パネルＬＣＤ２を覆うフロントシャーシＦＳとを備える。
【００３８】
接着層ＳＥＦＩＬで貼り合わされた第１液晶表示パネルＬＣＤ１及び第２液晶表示パネルＬＣＤ２は、液晶モジュールＭＤであり、バックライトＢＬともに、中間フレーム（図示せず）及びリアフレーム（図示せず）等に固定されている。
【００３９】
第１液晶表示パネルＬＣＤ１は、メインパネルであって、ユーザが視認する画像を表示する。本実施の形態において、第１液晶表示パネルＬＣＤ１は、カラー画像を表示する。一方、第２液晶表示パネルＬＣＤ２は、第１液晶表示パネルＬＣＤ１の背面側に配置されるサブパネルである。本実施の形態において、第２液晶表示パネルＬＣＤ２は、第１液晶表示パネルＬＣＤ１に表示されるカラー画像に対応した画像パターンのモノクロ画像（白黒画像）を、そのカラー画像に同期させて表示する。
【００４０】
第１液晶表示パネルＬＣＤ１及び第２液晶表示パネルＬＣＤ２の液晶駆動方式は、いずれもＩＰＳ方式又はＦＦＳ方式等の横電界方式である。また、第１液晶表示パネルＬＣＤ１及び第２液晶表示パネルＬＣＤ２はいずれも、ノーマリーブラックであり、電圧印加時に白表示で、電圧無印加時に黒表示となる。
【００４１】
図２に示すように、第１液晶表示パネルＬＣＤ１には、入力映像信号に応じたカラー画像を第１画像表示領域ＤＩＳＰ１に表示するために、第１ソースドライバＳＤＣ１及び第１ゲートドライバＧＤＣ１が設けられている。
【００４２】
具体的には、第１液晶表示パネルＬＣＤ１には、ＩＣパッケージからなる第１ソースドライバＳＤＣ１が実装された６個のフレキシブル配線基板ＳＴＣＰ１が接続されている。各ＳＴＣＰ１は、プリント基板ＳＫＩＢ１に接続されている。また、第１液晶表示パネルＬＣＤ１には、ＩＣパッケージからなる２個の第１ゲートドライバＧＤＣ１が実装されている。
【００４３】
一方、第２液晶表示パネルＬＣＤ２には、入力映像信号に応じたモノクロ画像を第２画像表示領域ＤＩＳＰ２に表示するために、第２ソースドライバＳＤＣ２及び第２ゲートドライバＧＤＣ２が設けられている。
【００４４】
具体的には、第２液晶表示パネルＬＣＤ２には、ＩＣパッケージからなる第２ソースドライバＳＤＣ２が実装された２個のフレキシブル配線基板ＳＴＣＰ２が接続されており、各ＳＴＣＰ２は、プリント基板ＳＫＩＢ２に接続されている。また、第２液晶表示パネルＬＣＤ２には、ＩＣパッケージからなる２個の第２ゲートドライバＧＤＣ２が実装されている。
【００４５】
図１に示すように、バックライトＢＬは、第１液晶表示パネルＬＣＤ１及び第２液晶表示パネルＬＣＤ２に向けて光を照射する面光源である。バックライトＢＬは、例えば、ＬＥＤ（Ｌｉｇｈｔ  Ｅｍｉｔｔｉｎｇ  Ｄｉｏｄｅ）を光源とするＬＥＤバックライトであるが、これに限るものではない。また、本実施の形態において、バックライトＢＬは、直下型であるが、エッジ型であってもよい。なお、バックライトＢＬは、光源からの光を拡散させるために拡散板（拡散シート）等の光学部材を有していてもよい。
【００４６】
フロントシャーシＦＳは、観察者側（前方側）に配置されるフロントフレームである。フロントシャーシＦＳは、例えば矩形状の枠体である。フロントシャーシＦＳは、鋼板又はアルミニウム板等の剛性の高い金属材料で構成されているとよいが、樹脂材料で構成されていてもよい。
【００４７】
また、液晶表示装置ＬＣＤは、第１液晶表示パネルＬＣＤ１の第１ソースドライバＳＤＣ１及び第１ゲートドライバＧＤＣ１を制御する第１タイミングコントローラＴＣＯＮ１と、第２液晶表示パネルＬＣＤ２の第２ソースドライバＳＤＣ２及び第２ゲートドライバＧＤＣ２を制御する第２タイミングコントローラＴＣＯＮ２と、第１タイミングコントローラＴＣＯＮ１及び第２タイミングコントローラＴＣＯＮ２に画像データを出力する画像処理部ＩＰＵとを備える。
【００４８】
画像処理部ＩＰＵは、外部のシステム（図示せず）から送信された入力映像信号Ｄａｔａを受信し、所定の画像処理を実行した後、第１タイミングコントローラＴＣＯＮ１に第１画像データＤＡＴ１を出力し、第２タイミングコントローラＴＣＯＮ２に第２画像データＤＡＴ２を出力する。また、画像処理部ＩＰＵは、第１タイミングコントローラＴＣＯＮ１及び第２タイミングコントローラＴＣＯＮ２に同期信号等の制御信号（図示せず）を出力する。第１画像データＤＡＴ１は、カラー表示用の画像データであり、第２画像データＤＡＴ２は、モノクロ表示用の画像データである。
【００４９】
このように、本実施の形態に係る液晶表示装置ＬＣＤでは、第１液晶表示パネルＬＣＤ１及び第２液晶表示パネルＬＣＤ２の２つの表示パネルを重ね合わせて画像を表示しているので、黒を引き締めることができる。これにより、高コントラスト比の画像を表示することができる。また、液晶表示装置ＬＣＤは、例えばＨＤＲ（Ｈｉｇｈ  Ｄｙｎａｍｉｃ  Ｒａｎｇｅ）対応テレビであり、バックライトＢＬとして、ローカルディミング対応の直下型ＬＥＤバックライトを用いてもよい。この場合、さらに高コントラスト比かつ高画質のカラー画像を表示することができる。
【００５０】
なお、本実施の形態では、第１液晶表示パネルＬＣＤ１が第１画像表示領域ＤＩＳＰ１にカラー画像を表示し、第２液晶表示パネルＬＣＤ２が第２画像表示領域ＤＩＳＰ２に白黒画像を表示する構成としたが、これに限らない。例えば、第１液晶表示パネルＬＣＤ１が第１画像表示領域ＤＩＳＰ１に白黒画像を表示し、第２液晶表示パネルＬＣＤ２が第２画像表示領域ＤＩＳＰ２にカラー画像を表示する構成であってもよい。
【００５１】
［第１液晶表示パネル、第２液晶表示パネル］
次に、液晶表示装置ＬＣＤにおける第１液晶表示パネルＬＣＤ１及び第２液晶表示パネルＬＣＤ２の詳細構成について、図３〜図６Ｂを用いて説明する。
【００５２】
図３及び図４は、実施の形態１に係る液晶表示装置ＬＣＤの断面図である。図３は、後述する図７（ａ）及び図８（ａ）のIII−III線における断面図であり、図４は、後述する図７（ａ）及び図８（ａ）のIV−IV線における断面図である。
【００５３】
また、図５Ａは、同液晶表示装置ＬＣＤにおける第１液晶表示パネルＬＣＤ１の概略構成を模式的に示す図であり、図５Ｂは、図５Ａにおける第１液晶表示パネルＬＣＤ１の１つ分の画素ＵＤＯＴ１の回路構成を示す図である。図６Ａは、同液晶表示装置ＬＣＤにおける第２液晶表示パネルＬＣＤ２の概略構成を模式的に示す図であり、図６Ｂは、図６Ａにおける第２液晶表示パネルＬＣＤ２の１つ分の画素ＬＤＯＴ２の回路構成を示す図である。
【００５４】
図３及び図４に示すように、第１液晶表示パネルＬＣＤ１は、第１液晶セルＯＣ１と、第１偏光板ＰＯＬ１と、第２偏光板ＰＯＬ２とを備える。第１液晶セルＯＣ１は、第１基板ＳＵＢ１及び第２基板ＳＵＢ２の間に設けられた第１液晶層ＬＣ１を有する。
【００５５】
また、第２液晶表示パネルＬＣＤ２は、第２液晶セルＯＣ２と、第３偏光板ＰＯＬ３と、第４偏光板ＰＯＬ４とを備える。第２液晶セルＯＣ２は、第３基板ＳＵＢ３及び第４基板ＳＵＢ４の間に設けられた第２液晶層ＬＣ２を有する。
【００５６】
液晶表示装置ＬＣＤにおいて、第１液晶セルＯＣ１は、観察者に近い位置（前側）に配置され、第２液晶セルＯＣ２は、第１液晶セルＯＣ１よりも観察者から遠い位置（後側）に配置される。第１液晶セルＯＣ１と第２液晶セルＯＣ２とは、第２基板ＳＵＢ２と第３基板ＳＵＢ３とが内側となるように（つまり、第１基板ＳＵＢ１と第４基板ＳＵＢ４とが外側となるように）積層されている。
【００５７】
図５Ａに示すように、第１液晶表示パネルＬＣＤ１の第１画像表示領域ＤＩＳＰ１は、複数の画素ＵＤＯＴ１によって構成されている。１つの画素ＵＤＯＴ１は、複数の第１ドットＤＯＴ１によって構成されている。複数の第１ドットＤＯＴ１は、マトリクス状に配列されており、各々が表示単位領域となるサブ画素である。図５Ｂに示すように、本実施の形態において、１つの画素ＵＤＯＴ１（第１画素）は、行方向に配列された、赤色ドット（赤色サブ画素）ＤＯＴＲ、緑色ドット（緑色サブ画素）ＤＯＴＧ及び青色ドット（青色サブ画素）ＤＯＴＢの３つの第１ドットＤＯＴ１によって構成されている。
【００５８】
図６Ａに示すように、第２液晶表示パネルＬＣＤ２の第２画像表示領域ＤＩＳＰ２は、複数の画素ＬＤＯＴ２（第２画素）によって構成されている。図６Ｂに示すように、本実施の形態において、１つの画素ＬＤＯＴ２は、１つの第２ドットＤＯＴ２によって構成されている。複数の第２ドットＤＯＴ２（画素ＬＤＯＴ２）は、図６Ａに示すように、マトリクス状に配列されており、各々が表示単位領域となっている。
【００５９】
液晶表示装置ＬＣＤを平面視したときに、第１液晶表示パネルＬＣＤ１の第１画像表示領域ＤＩＳＰ１の１つの画素ＵＤＯＴ１と、第２液晶表示パネルＬＣＤ２の第２画像表示領域ＤＩＳＰ２の１つの画素ＬＤＯＴ２とが対応して重なっている。つまり、第２画像表示領域ＤＩＳＰ２の１つの第２ドットＤＯＴ２（画素ＬＤＯＴ２）は、第１画像表示領域ＤＩＳＰ１の３つの第１ドットＤＯＴ１（赤色ドットＤＯＴＲ、緑色ドットＤＯＴＧ、青色ドットＤＯＴＢ）に対応している。
【００６０】
［第１液晶セル」
図３及び図４に示すように、第１液晶セルＯＣ１は、第１基板ＳＵＢ１と、第１基板ＳＵＢ１に対向する第２基板ＳＵＢ２と、第１基板ＳＵＢ１及び第２基板ＳＵＢ２の間に配置された第１液晶層ＬＣ１とを備える。
【００６１】
第１液晶層ＬＣ１は、第１基板ＳＵＢ１と第２基板ＳＵＢ２との間に封止されている。本実施の形態において、第１液晶層ＬＣ１の液晶材料は、正の誘電異方性を有するポジ型の液晶分子ＬＣＢＰによって構成されている。第１液晶セルＯＣ１は横電界方式により駆動するので、第１基板ＳＵＢ１及び第２基板ＳＵＢ２に対して略平行な方向の電界（横電界）が液晶分子ＬＣＢＰに与えられることによって、液晶分子ＬＣＢＰは基板面に対して略水平方向な面内で回転する。
【００６２】
本実施の形態において、第１基板ＳＵＢ１は、観察者側に位置し、第２基板ＳＵＢ２は、バックライトＢＬ側に位置している。
【００６３】
第１基板ＳＵＢ１は、第２基板ＳＵＢ２に対向する対向基板（第１対向基板）である。本実施の形態において、第１基板ＳＵＢ１は、ガラス基板等の透明基板にカラーフィルタＦＩＬが形成されたＣＦ基板である。
【００６４】
具体的には、第１基板ＳＵＢ１には、光を透過する光透過部と、光の透過を遮断する第１ブラックマトリクスＢＭ１（遮光部）とが形成されている。光透過部は、第１ブラックマトリクスＢＭ１で囲まれており、例えば矩形状に形成されている。つまり、第１ブラックマトリクスＢＭ１には、複数の第１ドットＤＯＴ１を構成するマトリクス状の複数の開口部が形成されている。
【００６５】
第１基板ＳＵＢ１の光透過部には、各第１ドットＤＯＴ１に対応してカラーフィルタＦＩＬが形成されている。具体的には、カラーフィルタＦＩＬは、赤色の光を透過する赤色カラーフィルタＦＩＬＲ（赤色層）と、緑色の光を透過する緑色カラーフィルタＦＩＬＧ（緑色層）と、青色の光を透過する青色カラーフィルタＦＩＬＢ（青色層）とを含んでいる。赤色カラーフィルタＦＩＬＲ、緑色カラーフィルタＦＩＬＧ、及び、青色カラーフィルタＦＩＬＢは、行方向にこの順に繰り返し配列されている。また、列方向には、同一色のカラーフィルタＦＩＬが配列されている。行方向及び列方向に隣り合うカラーフィルタＦＩＬの境界部分には、第１ブラックマトリクスＢＭ１が形成されている。複数の第１ドットＤＯＴ１は、各カラーフィルタＦＩＬに対応するように設定されており、図３に示すように、赤色カラーフィルタＦＩＬＲに対応する赤色ドットＤＯＴＲと、緑色カラーフィルタＦＩＬＧに対応する緑色ドットＤＯＴＧと、青色カラーフィルタＦＩＬＢに対応する青色ドットＤＯＴＢとによって構成されている。図５Ａ及び図５Ｂに示すように、第１液晶セルＯＣ１において、赤色ドットＤＯＴＲ、緑色ドットＤＯＴＧ及び青色ドットＤＯＴＢが行方向にこの順に繰り返し配列されており、列方向には同一色の第１ドットＤＯＴ１が配列されている。
【００６６】
また、第１基板ＳＵＢ１には、カラーフィルタＦＩＬを覆うように第１オーバーコート層ＯＣＴ１が形成されている。さらに、図示しないが、第１オーバーコート層ＯＣＴ１の表面には配向膜が形成されている。
【００６７】
第２基板ＳＵＢ２は、ガラス基板等の透明基板にＴＦＴ（Ｔｈｉｎ  Ｆｉｌｍ  Ｔｒａｎｓｉｓｔｏｒ）層が形成されたＴＦＴ基板（第１ＴＦＴ基板）である。第２基板ＳＵＢ２には、図５Ａに示すように、第１方向（例えば列方向）に延在する複数の第１ソース配線（データ線）ＳＬ１と、第１方向に交差する第２方向（例えば行方向）に延在する複数の第１ゲート配線ＧＬ１とが形成され、複数の第１ソース配線ＳＬ１と複数の第１ゲート配線ＧＬ１とのそれぞれの交差部近傍に第１薄膜トランジスタＴＦＴ１が形成されている。第１液晶セルＯＣ１を平面視した場合に、隣り合う２本の第１ソース配線ＳＬ１と隣り合う２本の第１ゲート配線ＧＬ１とにより囲まれる領域が１つの第１ドットＤＯＴ１として規定され、この第１ドットＤＯＴ１がマトリクス状（行方向及び列方向）に複数配置されている。本実施の形態において、複数の第１ソース配線ＳＬ１は、行方向に等間隔で配置されており、複数の第１ゲート配線ＧＬ１は、列方向に等間隔で配置されている。このように格子状に形成された第１ソース配線ＳＬ１及び第１ゲート配線ＧＬ１は、平面視において、第１ブラックマトリクスＢＭ１と重なるように延在している。つまり、第１ソース配線ＳＬ１及び第１ゲート配線ＧＬ１は、平面視において、隣り合うカラーフィルタＦＩＬの境界部分と重なるように形成されている。
【００６８】
第２基板ＳＵＢ２には、図３及び図５Ｂに示すように、第１ドットＤＯＴ１毎に、第１画素電極ＰＸ１と第１共通電極ＣＴ１とが形成されている。図５Ｂに示すように、第２基板ＳＵＢ２には、複数の第１ドットＤＯＴ１にまたがるように、各第１ドットＤＯＴ１の第１共通電極ＣＴ１に接続された第１共通配線ＣＬ１が形成されている。各第１ドットＤＯＴ１において、第１画素電極ＰＸ１と第１共通電極ＣＴ１とによって液晶容量（画素容量）ＣＬＣ１が生成される。また、第１薄膜トランジスタＴＦＴ１を構成する第１ソース電極Ｓ１は第１ソース配線ＳＬ１に電気的に接続され、第１ドレイン電極Ｄ１はコンタクトホールＣＯＮＴを介して第１画素電極ＰＸ１に電気的に接続され、第１ゲート電極Ｇ１は第１ゲート配線ＧＬ１に電気的に接続されている。
【００６９】
図３及び図４に示すように、第１ゲート配線ＧＬ１を覆うようにゲート絶縁膜ＧＳＮ１が形成され、ゲート絶縁膜ＧＳＮ１上に第１ソース配線ＳＬ１が形成され、第１ソース配線ＳＬ１を覆うように保護膜ＰＡＳ１及び有機膜ＯＰＡＳ１が形成されている。有機膜ＯＰＡＳ１上に第１共通電極ＣＴ１が形成されており、第１共通電極ＣＴ１を覆うように保護膜ＵＰＡＳ１が形成されている。保護膜ＵＰＡＳ１上に第１画素電極ＰＸ１が形成されており、第１画素電極ＰＸ１を覆うように配向膜（図示せず）が形成されている。
【００７０】
図５Ａに示すように、第１タイミングコントローラＴＣＯＮ１は、画像処理部ＩＰＵから出力される第１画像データＤＡＴ１と第１制御信号ＣＳ１（クロック信号、垂直同期信号、水平同期信号等）とに基づいて、第１画像データＤＡ１と、第１ソースドライバＳＤＣ１及び第１ゲートドライバＧＤＣ１の駆動を制御するための各種タイミング信号（データスタートパルスＤＳＰ１、データクロックＤＣＫ１、ゲートスタートパルスＧＳＰ１、ゲートクロックＧＣＫ１）とを生成する。第１タイミングコントローラＴＣＯＮ１は、第１画像データＤＡ１と、データスタートパルスＤＳＰ１と、データクロックＤＣＫ１とを第１ソースドライバＳＤＣ１に出力し、ゲートスタートパルスＧＳＰ１とゲートクロックＧＣＫ１とを第１ゲートドライバＧＤＣ１に出力する。
【００７１】
第１ソースドライバＳＤＣ１は、データスタートパルスＤＳＰ１及びデータクロックＤＣＫ１に基づいて、第１画像データＤＡ１に応じたデータ電圧（データ信号）を第１ソース配線ＳＬ１に出力する。第１ゲートドライバＧＤＣ１は、ゲートスタートパルスＧＳＰ１及びゲートクロックＧＣＫ１に基づいて、ゲート電圧（ゲート信号）を第１ゲート配線ＧＬ１に出力する。
【００７２】
各第１ソース配線ＳＬ１には、第１ソースドライバＳＤＣ１からデータ電圧が供給され、各第１ゲート配線ＧＬ１には、第１ゲートドライバＧＤＣ１からゲート電圧が供給される。第１共通電極ＣＴ１には、コモンドライバ（図示せず）から共通電圧Ｖｃｏｍが供給される。ゲート電圧（ゲートオン電圧）が第１ゲート配線ＧＬ１に供給されると、第１ゲート配線ＧＬ１に接続された第１薄膜トランジスタＴＦＴ１がオンし、第１薄膜トランジスタＴＦＴ１に接続された第１ソース配線ＳＬ１を介して、データ電圧が第１画素電極ＰＸ１に供給される。第１画素電極ＰＸ１に供給されたデータ電圧と、第１共通電極ＣＴ１に供給された共通電圧Ｖｃｏｍとの差により電界が生じる。この電界により液晶分子ＬＣＢＰが駆動され、これにより、第２液晶表示パネルＬＣＤ２を通過したバックライトＢＬの光の透過率が制御されて画像表示が行われる。第１液晶セルＯＣ１では、各第１ドットＤＯＴ１（赤色ドットＤＯＴＲ、緑色ドットＤＯＴＧ、青色ドットＤＯＴＢ）の第１画素電極ＰＸ１に接続された第１ソース配線ＳＬ１に、所望のデータ電圧が供給されることにより、カラー画像表示が行われる。
【００７３】
［第２液晶セル」
図３及び図４に示すように、第２液晶セルＯＣ２は、第３基板ＳＵＢ３と、第３基板ＳＵＢ３に対向する第４基板ＳＵＢ４と、第３基板ＳＵＢ３及び第４基板ＳＵＢ４の間に配置された第２液晶層ＬＣ２とを備える。
【００７４】
第２液晶層ＬＣ２は、第３基板ＳＵＢ３と第４基板ＳＵＢ４との間に封止されている。本実施の形態において、第２液晶層ＬＣ２の液晶材料は、第１液晶セルＯＣ１の第１液晶層ＬＣ１における液晶分子ＬＣＢＰとは異なり、負の誘電異方性を有するネガ型の液晶分子ＬＣＢＮによって構成されている。第２液晶セルＯＣ２も横電界方式により駆動するので、第３基板ＳＵＢ３及び第４基板ＳＵＢ４に対して略平行な方向の電界（横電界）が液晶分子ＬＣＢＮに与えられることによって、液晶分子ＬＣＢＮは基板面に対して略水平方向な面内で回転する。
【００７５】
本実施の形態において、第３基板ＳＵＢ３は、観察者側に位置し、第４基板ＳＵＢ４は、バックライトＢＬ側に位置している。
【００７６】
第３基板ＳＵＢ３は、第４基板ＳＵＢ４に対向する対向基板（第２対向基板）である。第３基板ＳＵＢ３は、ガラス基板等の透明基板からなり、第３基板ＳＵＢ３には、光を透過する光透過部と、光の透過を遮断する第２ブラックマトリクスＢＭ２（遮光部）とが形成されている。光透過部は、第２ブラックマトリクスＢＭ２で囲まれており、例えば矩形状に形成されている。つまり、第２ブラックマトリクスＢＭ２には、複数の第２ドットＤＯＴ２を構成するマトリクス状の複数の開口部が形成されている。光の透過を遮断する第２ブラックマトリクスＢＭ２（遮光部）が形成されている。
【００７７】
また、第３基板ＳＵＢ３には、第２ブラックマトリクスＢＭ２を覆うように第２オーバーコート層ＯＣＴ２が形成されている。さらに、図示しないが、第２オーバーコート層ＯＣＴ２の表面には配向膜が形成されている。
【００７８】
なお、第３基板ＳＵＢ３は、第１基板ＳＵＢ１と異なり、第３基板ＳＵＢ３の光透過部には、カラーフィルタが形成されていない。したがって、第２ブラックマトリクスＢＭ２の開口部内には第２オーバーコート層ＯＣＴ２が充填されている。したがって、第２ブラックマトリクスＢＭ２の開口部内には第２オーバーコート層ＯＣＴ２が充填されている。
【００７９】
第４基板ＳＵＢ４は、ガラス基板等の透明基板にＴＦＴ層が形成されたＴＦＴ基板（第２ＴＦＴ基板）である。第４基板ＳＵＢ４には、図６Ａに示すように、第１方向（例えば列方向）に延在する複数の第２ソース配線（データ線）ＳＬ２と、第１方向に交差する第２方向（例えば行方向）に延在する複数の第２ゲート配線ＧＬ２とが形成され、複数の第２ソース配線ＳＬ２と複数の第２ゲート配線ＧＬ２とのそれぞれの交差部近傍に第２薄膜トランジスタＴＦＴ２が形成されている。第２液晶セルＯＣ２を平面視した場合に、隣り合う２本の第２ソース配線ＳＬ２と隣り合う２本の第２ゲート配線ＧＬ２とにより囲まれる領域が１つの第２ドットＤＯＴ２として規定され、この第２ドットＤＯＴ２がマトリクス状（行方向及び列方向）に複数配置されている。本実施の形態において、複数の第２ソース配線ＳＬ２は、行方向に等間隔で配置されており、複数の第２ゲート配線ＧＬ２は、列方向に等間隔で配置されている。格子状に形成された第２ソース配線ＳＬ２及び第２ゲート配線ＧＬ２は、平面視において、第２ブラックマトリクスＢＭ２と重なるように延在している。
【００８０】
第４基板ＳＵＢ４には、図３及び図６Ｂに示すように、第２ドットＤＯＴ２毎に、第２画素電極ＰＸ２と第２共通電極ＣＴ２とが形成されている。図６Ｂに示すように、第４基板ＳＵＢ４には、複数の第２ドットＤＯＴ２にまたがるように、各第２ドットＤＯＴ２の第２共通電極ＣＴ２に接続された第２共通配線ＣＬ２が形成されている。各第２ドットＤＯＴ２において、第２画素電極ＰＸ２と第２共通電極ＣＴ２とによって液晶容量（画素容量）ＣＬＣ２が生成される。また、第２薄膜トランジスタＴＦＴ２を構成する第２ソース電極Ｓ２は第２ソース配線ＳＬ２に電気的に接続され、第２ドレイン電極Ｄ２はコンタクトホールＣＯＮＴを介して第２画素電極ＰＸ２に電気的に接続され、第２ゲート電極Ｇ２は第２ゲート配線ＧＬ２に電気的に接続されている。
【００８１】
図３及び図４に示すように、第２ゲート配線ＧＬ２を覆うようにゲート絶縁膜ＧＳＮ２が形成され、ゲート絶縁膜ＧＳＮ２上に第２ソース配線ＳＬ２が形成され、第２ソース配線ＳＬ２を覆うように保護膜ＰＡＳ２及び有機膜ＯＰＡＳ２が形成されている。有機膜ＯＰＡＳ２上に第２共通電極ＣＴ２が形成されており、第２共通電極ＣＴ２を覆うように保護膜ＵＰＡＳ２が形成されている。保護膜ＵＰＡＳ２上に第２画素電極ＰＸ２が形成されており、第２画素電極ＰＸ２を覆うように配向膜（図示せず）が形成されている。
【００８２】
図６Ａに示すように、第２タイミングコントローラＴＣＯＮ２は、画像処理部ＩＰＵから出力される第２画像データＤＡＴ２と第２制御信号ＣＳ２（クロック信号、垂直同期信号、水平同期信号等）とに基づいて、第２画像データＤＡ２と、第２ソースドライバＳＤＣ２及び第２ゲートドライバＧＤＣ２の駆動を制御するための各種タイミング信号（データスタートパルスＤＳＰ２、データクロックＤＣＫ２、ゲートスタートパルスＧＳＰ２、ゲートクロックＧＣＫ２）とを生成する（図４参照）。第２タイミングコントローラＴＣＯＮ２は、第２画像データＤＡ２と、データスタートパルスＤＳＰ２と、データクロックＤＣＫ２とを第２ソースドライバＳＤＣ２に出力し、ゲートスタートパルスＧＳＰ２とゲートクロックＧＣＫ２とを第２ゲートドライバＧＤＣ２に出力する。
【００８３】
第２ソースドライバＳＤＣ２は、データスタートパルスＤＳＰ２及びデータクロックＤＣＫ２に基づいて、第２画像データＤＡ２に応じたデータ電圧（データ信号）を第２ソース配線ＳＬ２に出力する。第２ゲートドライバＧＤＣ２は、ゲートスタートパルスＧＳＰ２及びゲートクロックＧＣＫ２に基づいて、ゲート電圧（ゲート信号）を第２ゲート配線ＧＬ２に出力する。
【００８４】
各第２ソース配線ＳＬ２には、第２ソースドライバＳＤＣ２からデータ電圧が供給され、各第２ゲート配線ＧＬ２には、第２ゲートドライバＧＤＣ２からゲート電圧が供給される。第２共通電極ＣＴ２には、コモンドライバ（図示せず）から共通電圧Ｖｃｏｍが供給される。ゲート電圧（ゲートオン電圧）が第２ゲート配線ＧＬ２に供給されると、第２ゲート配線ＧＬ２に接続された第２薄膜トランジスタＴＦＴ２がオンし、第２薄膜トランジスタＴＦＴ２に接続された第２ソース配線ＳＬ２を介して、データ電圧が第２画素電極ＰＸ２に供給される。第２画素電極ＰＸ２に供給されたデータ電圧と、第２共通電極ＣＴ２に供給された共通電圧Ｖｃｏｍとの差により電界が生じる。この電界により液晶分子ＬＣＢＰが駆動され、これにより、バックライトＢＬの光の透過率が制御されて画像表示が行われる。第２液晶セルＯＣ２では、各第２ドットＤＯＴ２の第２画素電極ＰＸ２に接続された第２ソース配線ＳＬ２に、所望のデータ電圧を供給することにより、白黒画像表示が行われる。
【００８５】
［第１〜第４偏光板］
第１偏光板ＰＯＬ１及び第２偏光板ＰＯＬ２は、第１液晶セルＯＣ１を挟むように配置されている。本実施の形態において、第１偏光板ＰＯＬ１は、第１液晶セルＯＣ１の観察者側に配置され、第２偏光板ＰＯＬ２は、第１液晶セルＯＣ１のバックライトＢＬ側に配置されている。第１偏光板ＰＯＬ１と第２偏光板ＰＯＬ２とは、クロスニコルの位置関係となるように配置されている。つまり、第１偏光板ＰＯＬ１の吸収軸（偏光軸）と第２偏光板ＰＯＬ２の吸収軸（偏光軸）とが略直交している。
【００８６】
第３偏光板ＰＯＬ３及び第４偏光板ＰＯＬ４は、第２液晶セルＯＣ２を挟むように配置されている。本実施の形態において、第３偏光板ＰＯＬ３は、第２液晶セルＯＣ２の観察者側に配置され、第４偏光板ＰＯＬ４は、第２液晶セルＯＣ２のバックライトＢＬ側に配置されている。第３偏光板ＰＯＬ３と第４偏光板ＰＯＬ４とは、クロスニコルの位置関係となるように配置されている。つまり、第３偏光板ＰＯＬ３の吸収軸と第４偏光板ＰＯＬ４の吸収軸とが略直交している。
【００８７】
本実施の形態において、第２偏光板ＰＯＬ２及び第３偏光板ＰＯＬ３は、偏光軸が互いに略平行となっている。つまり、第２偏光板ＰＯＬ２及び第３偏光板ＰＯＬ３は、偏光軸の方向が略一致している。具体的には、第２偏光板ＰＯＬ２の吸収軸と第３偏光板ＰＯＬ３の吸収軸とが略平行になっており、第２偏光板ＰＯＬ２の吸収軸の方向と第３偏光板ＰＯＬ３の吸収軸の方向とが略一致している。
【００８８】
また、第１偏光板ＰＯＬ１及び第４偏光板ＰＯＬ４は、偏光軸が互いに略平行となっている。つまり、第１偏光板ＰＯＬ１及び第４偏光板ＰＯＬ４は、偏光軸の方向が略一致している。具体的には、第１偏光板ＰＯＬ１の吸収軸と第４偏光板ＰＯＬ４の吸収軸とが略平行になっており、第１偏光板ＰＯＬ１の吸収軸の方向と第４偏光板ＰＯＬ４の吸収軸の方向とが略一致している。
【００８９】
したがって、本実施の形態では、第１偏光板ＰＯＬ１及び第４偏光板ＰＯＬ４は、偏光軸（吸収軸）が第２偏光板ＰＯＬ２及び第３偏光板ＰＯＬ３と略直交している。
【００９０】
なお、第２偏光板ＰＯＬ２及び第３偏光板ＰＯＬ３は、第１液晶セルＯＣ１と第２液晶セルＯＣ２との間に配置されており、第２偏光板ＰＯＬ２と第３偏光板ＰＯＬ３との間には接着層ＳＥＦＩＬが配置されている。
【００９１】
［液晶表示装置の動作」
次に、本実施の形態に係る液晶表示装置ＬＣＤのドット（画素）のレイアウト及び各ドットにおける液晶分子の動きについて、図７及び図８を用いて説明する。
【００９２】
図７（ａ）は、実施の形態１に係る第１液晶表示パネルＬＣＤ１の画素ＵＤＯＴ１のレイアウトを示す図であり、図７（ｂ）は、実施の形態１に係る第１液晶セルＯＣ１の第１液晶層ＬＣ１における液晶分子ＬＣＢＰの回転の動きを示す図である。図８（ａ）は、実施の形態１に係る第２液晶表示パネルＬＣＤ２の画素ＬＤＯＴ２のレイアウトを示す図であり、図８（ｂ）は、実施の形態１に係る第２液晶セルＯＣ２の第２液晶層ＬＣ２における液晶分子ＬＣＢＮの回転の動きを示す図である。
【００９３】
図７（ａ）に示すように、第１液晶表示パネルＬＣＤ１（第１液晶セルＯＣ１）では、第１ソース配線ＳＬ１が列方向に延在しており、第１画素電極ＰＸ１は第１ソース配線ＳＬ１に略平行（本実施の形態では列方向）に延在している。すなわち、第１画素電極ＰＸ１は、第１ソース配線ＳＬ１に沿って延びる長手方向をもつ。具体的には、第１画素電極ＰＸ１には、第１ソース配線ＳＬ１に略平行に延在する複数のスリットＳＬＩＴ１が形成されている。
【００９４】
また、第１ゲート配線ＧＬ１が行方向に延在しており、第１画素電極ＰＸ１は第１ゲート配線ＧＬ１と略直交する方向に延在している。つまり、第１画素電極ＰＸ１の複数のスリットＳＬＩＴ１は、第１ゲート配線ＧＬ１と略直交するように延在している。
【００９５】
図７（ｂ）に示すように、第１液晶表示パネルＬＣＤ１（第１液晶セルＯＣ１）では、第１液晶層ＬＣ１の液晶分子ＬＣＢＰがポジ型である。第１液晶セルＯＣ１では、第１液晶層ＬＣ１の液晶分子ＬＣＢＰに対する第１基板ＳＵＢ１及び第２基板ＳＵＢ２の配向軸が略平行になっている。つまり、第１基板ＳＵＢ１の配向膜の配向方向と第２基板ＳＵＢ２の配向膜の配向方向とが略同一方向になっている。なお、配向膜の配向方向は、例えば、配向膜をラビング処理するときのラビング方向となる。
【００９６】
本実施の形態において、第１画素電極ＰＸ１と第１共通電極ＣＴ１とに電圧が印加されていない場合（黒表示の場合）、第１液晶層ＬＣ１における初期配向状態の液晶分子ＬＣＢＰＯＦＦの初期配向角度ＴＨＩＮは、９０°−２７０°線を基準として右回転（時計回り）となるように設定されている。
【００９７】
液晶分子ＬＣＢＰＯＦＦの初期配向角度ＴＨＩＮは、第１基板ＳＵＢ１及び第２基板ＳＵＢ２の各々の配向膜の界面付近に存在する液晶分子ＬＣＢＰＯＦＦの長軸方向（初期配向軸方向）と、９０°−２７０°線とのなす角である。液晶分子ＬＣＢＰＯＦＦの長軸方向は、第２偏光板ＰＯＬ２の偏光軸（吸収軸）ＰＯＬＡ２の方向に略一致している。つまり、液晶分子ＬＣＢＰＯＦＦの長軸方向は、第１偏光板ＰＯＬ１の偏光軸（吸収軸）ＰＯＬＡ１の方向と略直交している。液晶分子ＬＣＢＰＯＦＦの初期配向角度ＴＨＩＮは、例えば、０°＜ＴＨＩＮ＜２０°である。
【００９８】
第１画素電極ＰＸ１及び第１共通電極ＣＴ１に電圧が印加されると、第１画素電極ＰＸ１と第１共通電極ＣＴ１との間に第１基板ＳＵＢ１及び第２基板ＳＵＢ２に略平行な方向の電界（横電界ＥＬ１）が発生する。本実施の形態では、第１画素電極ＰＸ１が第１ソース配線ＳＬ１と略平行な列方向に延在しているので、図７（ｂ）に示すように、行方向（０°−１８０°線の方向）の横電界ＥＬ１が発生する。
【００９９】
横電界ＥＬ１が発生すると、初期配向角度ＴＨＩＮにしたがって、第１液晶層ＬＣ１の液晶分子ＬＣＢＰが回転する。具体的には、横電界ＥＬ１が発生すると、液晶分子ＬＣＢＰは、液晶分子ＬＣＢＰＯＦＦの状態から所定の角度（例えば４５°）の位置まで右回転して液晶分子ＬＣＢＰＯＮの状態（白表示）になる。
【０１００】
一方、図８（ａ）に示すように、第２液晶表示パネルＬＣＤ２（第２液晶セルＯＣ２）でも、第２ソース配線ＳＬ２が列方向に延在しており、第２画素電極ＰＸ２は第２ソース配線ＳＬ２に略平行に延在している。すなわち、第２画素電極ＰＸ２は、第２ソース配線ＳＬ２に沿って延びる長手方向をもつ。具体的には、第２画素電極ＰＸ２には、第２ソース配線ＳＬ２に略平行（本実施の形態では、列方向）に延在する複数のスリットＳＬＩＴ２が形成されている。
【０１０１】
また、第２ゲート配線ＧＬ２も行方向に延在しており、第２画素電極ＰＸ２は第２ゲート配線ＧＬ２と略直交する方向に延在している。つまり、第２画素電極ＰＸ２の複数のスリットＳＬＩＴ２は、第２ゲート配線ＧＬ２と略直交するように延在している。
【０１０２】
図８（ｂ）に示すように、第２液晶表示パネルＬＣＤ２（第２液晶セルＯＣ２）では、第２液晶層ＬＣ２の液晶分子ＬＣＢＮは、第１液晶層ＬＣ１の液晶分子ＬＣＢＰとは異なり、ネガ型である。第２液晶セルＯＣ２では、第２液晶層ＬＣ２の液晶分子ＬＣＢＮに対する第３基板ＳＵＢ３及び第４基板ＳＵＢ４の配向軸が略平行になっている。つまり、第３基板ＳＵＢ３の配向膜の配向方向と第４基板ＳＵＢ４の配向膜の配向方向とが略同一方向になっている。
【０１０３】
本実施の形態において、第２画素電極ＰＸ２と第２共通電極ＣＴ２とに電圧が印加されていない場合（黒表示の場合）、第２液晶層ＬＣ２における初期配向状態の液晶分子ＬＣＢＮＯＦＦの初期配向角度ＴＨＩＮは、０°−１８０°線を基準として右回転（時計回り）となるように設定されている。つまり、ネガ型である液晶分子ＬＣＢＮの初期配向角度ＴＨＩＮは、電界方向に対して設定されている。
【０１０４】
液晶分子ＬＣＢＮＯＦＦの初期配向角度ＴＨＩＮは、第３基板ＳＵＢ３及び第４基板ＳＵＢ４の各々の配向膜の界面付近に存在する液晶分子ＬＣＢＮＯＦＦの長軸方向（初期配向軸方向）と、０°−１８０°線とのなす角である。液晶分子ＬＣＢＮＯＦＦの長軸方向は、第４偏光板ＰＯＬ４の偏光軸（吸収軸）ＰＯＬＡ４の方向に略一致している。つまり、液晶分子ＬＣＢＮＯＦＦの長軸方向は、第３偏光板ＰＯＬ３の偏光軸（吸収軸）ＰＯＬＡ３の方向と略直交している。液晶分子ＬＣＢＮＯＦＦの初期配向角度ＴＨＩＮは、例えば、０°＜ＴＨＩＮ＜２０°である。
【０１０５】
第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生する。本実施の形態では、第２画素電極ＰＸ２が第２ソース配線ＳＬ２と略平行で列方向に延在しているので、図８（ｂ）に示すように、行方向（０°−１８０°線の方向）の横電界ＥＬ２が発生する。
【０１０６】
横電界ＥＬ２が発生すると、初期配向角度ＴＨＩＮにしたがって、第２液晶層ＬＣ２の液晶分子ＬＣＢＮが回転する。具体的には、横電界ＥＬ２が発生すると、液晶分子ＬＣＢＮは、液晶分子ＬＣＢＮＯＦＦの状態から所定の角度（例えば４５°）の位置まで右回転して液晶分子ＬＣＢＮＯＮの状態（白表示）になる。
【０１０７】
本実施の形態における液晶表示装置ＬＣＤにおいては、第１液晶表示パネルＬＣＤ１における第１基板ＳＵＢ１及び第２基板ＳＵＢ２の配向軸と、第２液晶表示パネルＬＣＤ２における第３基板ＳＵＢ３及び第４基板ＳＵＢ４の配向軸とが略直交している。これにより、第１液晶セルＯＣ１及び第２液晶セルＯＣ２に横電界ＥＬ１及びＥＬ２が発生していない場合に、第１液晶層ＬＣ１の液晶分子ＬＣＢＰの長軸方向（配向軸方向）と、第２液晶層ＬＣ２の液晶分子ＬＣＢＮの長軸方向（配向軸方向）とが略直交する。
【０１０８】
そして、第１液晶セルＯＣ１の第１ドットＤＯＴ１における第１画素電極ＰＸ１及び第１共通電極ＣＴ１に電圧が印加されるとともに、第２液晶セルＯＣ２の第２ドットＤＯＴ２における第２画素電極ＰＸ２及び第２共通電極ＣＴ２に電圧が印加されると、第１ドットＤＯＴ１には一方向のみの横電界ＥＬ１が発生するとともに、第２ドットＤＯＴ２にも一方向のみの横電界ＥＬ２が発生する。このとき、本実施の形態において、第１ドットＤＯＴ１に発生する横電界ＥＬ１の電界方向と、第２ドットＤＯＴ２に発生する横電界ＥＬ２の電界方向とが略同じになっている。
【０１０９】
このような横電界ＥＬ１及びＥＬ２が発生すると、第１液晶層ＬＣ１の第１ドットＤＯＴ１の液晶分子ＬＣＢＰが回転するとともに、第２液晶層ＬＣ２の第２ドットＤＯＴ２の液晶分子ＬＣＢＮが回転する。本実施の形態では、第１液晶層ＬＣ１の液晶分子ＬＣＢＰの回転方向と第２液晶セルＯＣ２の液晶分子ＬＣＢＮの回転方向とが同じになっており、いずれも右回転である。
【０１１０】
これにより、第１液晶セルＯＣ１に発生する横電界ＥＬ１によって右回転した液晶分子ＬＣＢＰＯＮの長軸方向と、第２液晶セルＯＣ２に発生する横電界ＥＬ２によって右回転した液晶分子ＬＣＢＮＯＮの長軸方向とが略直交する状態となる。つまり、第１液晶セルＯＣ１に横電界ＥＬ１が発生し、かつ、第２液晶セルＯＣ２に横電界ＥＬ２が発生している場合、第１液晶層ＬＣ１の液晶分子ＬＣＢＰＯＮの長軸方向と、第２液晶層ＬＣ２の液晶分子ＬＣＢＮＯＮの短軸方向とが略一致している。
【０１１１】
したがって、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＮ（液晶分子ＬＣＢＮＯＮ）とによって相殺補償することができる。
【０１１２】
具体的には、図７（ｂ）に示すように、第１液晶セルＯＣ１において右回転した液晶分子ＬＣＢＰＯＮを長軸方向から見たときの青着色の色付きを、図８（ｂ）に示すように、第２液晶セルＯＣ２において右回転した液晶分子ＬＣＢＮＯＮを短軸方向から見たときの黄着色の色付きで相殺することができる。また、第１液晶セルＯＣ１において右回転した液晶分子ＬＣＢＰＯＮを短軸方向から見たときの黄着色の色付きを、図８（ｂ）に示すように、第２液晶セルＯＣ２において右回転した液晶分子ＬＣＢＮＯＮを長軸方向から見たときの青着色の色付きで相殺することができる。これにより、液晶表示装置ＬＣＤの表示画面全体における所定の方向の色付きが相殺されて色視野角特性を改善することができる。
【０１１３】
このように、本実施の形態における液晶表示装置ＬＣＤは、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償するように構成されている。
【０１１４】
また、本実施の形態における液晶表示装置ＬＣＤでは、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＮは、いずれもシングルドメイン方式により駆動される。つまり、第１ドットＤＯＴ１及び第２ドットＤＯＴ２の主な透過領域（第１ブラックマトリクスＢＭ１及び第２ブラックマトリクスＢＭ２の開口部内）では、第１ドットＤＯＴ１の液晶分子ＬＣＢＰ及び第２ドットＤＯＴ２の液晶分子ＬＣＢＮは、一方向に回転する。。これにより、一画素マルチドメイン方式のように透過率が低下する領域が発生せず、一画素マルチドメイン方式と比べて透過率が向上、つまり、ドット（画素）の開口率が向上する。また、行毎マルチドメイン方式のように特定の画像パターン表示（図４３参照）について色視野角特性が劣化することもない。
【０１１５】
しかも、本実施の形態では、第１液晶表示パネルＬＣＤ１（第１液晶セルＯＣ１）の第１画素電極ＰＸ１及び第２液晶表示パネルＬＣＤ２（第２液晶セルＯＣ２）の第２画素電極ＰＸ２は、いずれも列方向に延在する縦ストライプのパターンである。これにより、第１液晶表示パネルＬＣＤ１（第１液晶セルＯＣ１）の第１ドットＤＯＴ１及び第２液晶表示パネルＬＣＤ２（第２液晶セルＯＣ２）の第２ドットＤＯＴ２の透過率の低下（開口率の低下）を抑制することができる。
【０１１６】
以上、本実施の形態における液晶表示装置ＬＣＤによれば、透過率を低下させることなく、画像表示パターンによらず色視野角特性を改善することができる。
【０１１７】
なお、本実施の形態では、第１液晶表示パネルＬＣＤ１を観察者側に配置し、第２液晶表示パネルＬＣＤ２をバックライトＢＬ側に配置したが、これに限らない。具体的には、第１液晶表示パネルＬＣＤ１をバックライトＢＬ側に配置し、第２液晶表示パネルＬＣＤ２を観察者側に配置しても、第１液晶セルＯＣ１又は第２液晶セルＯＣ２の色相変化を相殺補償して色視野角特性を改善することができる。
【０１１８】
また、本実施の形態では、第１液晶セルＯＣ１の液晶分子ＬＣＢＰ及び第２液晶セルＯＣ２の液晶分子ＬＣＢＮは、横電界によって右回転（時計回り）となるように初期配向角度ＴＨＩＮが設定されていたが、これに限らない。例えば、第１液晶セルＯＣ１の液晶分子ＬＣＢＰ及び第２液晶セルＯＣ２の液晶分子ＬＣＢＮは、横電界によって左回転（半時計回り）となるように初期配向角度ＴＨＩＮが設定されていてもよい。この場合も、第１液晶セルＯＣ１又は第２液晶セルＯＣ２の色相変化を相殺補償して色視野角特性を改善することができる。
【０１１９】
（実施の形態１の変形例）
次に、実施の形態１の変形例に係る液晶表示装置ＬＣＤについて、図９〜図１２を用いて説明する。
【０１２０】
図９及び図１０は、実施の形態１の変形例に係る液晶表示装置ＬＣＤの断面図である。図１１（ａ）は、実施の形態１の変形例に係る第１液晶表示パネルＬＣＤ１の画素ＵＤＯＴ１のレイアウトを示す図であり、図１１（ｂ）は、実施の形態１の変形例に係る第１液晶セルＯＣ１の第１液晶層ＬＣ１における液晶分子ＬＣＢＰの回転の動きを示す図である。図１２（ａ）は、実施の形態１の変形例に係る第２液晶表示パネルＬＣＤ２の画素ＬＤＯＴ２のレイアウトを示す図であり、図１２（ｂ）は、実施の形態１の変形例に係る第２液晶セルＯＣ２の第２液晶層ＬＣ２における液晶分子ＬＣＢＰの回転の動きを示す図である。なお、図９は、図１１（ａ）及び図１２（ａ）のIX−IX線における断面図であり、図１０は、図１１（ａ）及び図１２（ａ）のX−X線における断面図である。
【０１２１】
図９〜図１１に示すように、本変形例における第１液晶表示パネルＬＣＤ１は、上記実施の形態１における第１液晶表示パネルＬＣＤ１と同じである。
【０１２２】
一方、図９、図１０及び図１２に示すように、本変形例における第２液晶表示パネルＬＣＤ２は、上記実施の形態１における第２液晶表示パネルＬＣＤ２と異なる。
【０１２３】
具体的には、図１２（ａ）に示すように、本変形例における第２液晶表示パネルＬＣＤ２では、上記実施の形態１と同様に、第２ソース配線ＳＬ２が列方向に延在するとともに第２ゲート配線ＧＬ２が行方向に延在している。一方、本変形例における第２画素電極ＰＸ２は、上記実施の形態１と異なり、第２ソース配線ＳＬ２と略直交する方向に延在しているとともに第２ゲート配線ＧＬ２と略平行に延在している。つまり、第２画素電極ＰＸ２は、行方向に延在している。したがって、第２画素電極ＰＸ２の複数のスリットＳＬＩＴ２は、行方向に延在している。
【０１２４】
また、図１２（ｂ）に示すように、第２液晶表示パネルＬＣＤ２の第２液晶セルＯＣ２では、第２液晶層ＬＣ２の液晶分子ＬＣＢＰがネガ型ではなくポジ型である。つまり、本変形例では、第１液晶層ＬＣ１の液晶分子ＬＣＢＰ及び第２液晶層ＬＣ２の液晶分子ＬＣＢＰは、いずれもポジ型である。なお、本変形例でも、第２液晶層ＬＣ２の液晶分子ＬＣＢＰに対する第３基板ＳＵＢ３及び第４基板ＳＵＢ４の配向軸は、略平行になっている。
【０１２５】
本変形例において、第２画素電極ＰＸ２と第２共通電極ＣＴ２とに電圧が印加されていない場合（黒表示の場合）、第２液晶層ＬＣ２における初期配向状態の液晶分子ＬＣＢＰＯＦＦの初期配向角度ＴＨＩＮは、第３基板ＳＵＢ３及び第４基板ＳＵＢ４の各々の配向膜によって、０°−１８０°線を基準に右回転（時計回り）となるように設定されている。液晶分子ＬＣＢＰＯＦＦの長軸方向は、第４偏光板ＰＯＬ４の偏光軸（吸収軸）ＰＯＬＡ４の方向に略一致している。
【０１２６】
本変形例でも、第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生するが、本変形例では、第２画素電極ＰＸ２は第２ソース配線ＳＬ２と略直交しており行方向に延在しているので、図１２（ｂ）に示すように、列方向（９０°−２７０°線の方向）の横電界ＥＬ２が発生する。
【０１２７】
横電界ＥＬ２が発生すると、初期配向角度ＴＨＩＮにしたがって、第２液晶層ＬＣ２の液晶分子ＬＣＢＰが回転する。具体的には、横電界ＥＬ２が発生すると、液晶分子ＬＣＢＰは、液晶分子ＬＣＢＰＯＦＦの状態から所定の角度（例えば４５°）の位置まで右回転して液晶分子ＬＣＢＰＯＮの状態（白表示）になる。
【０１２８】
このように、本変形例における液晶表示装置ＬＣＤでも、第１液晶表示パネルＬＣＤ１に発生する横電界ＥＬ１によって右回転した液晶分子ＬＣＢＰＯＮの長軸方向と、第２液晶表示パネルＬＣＤ２に発生する横電界ＥＬ２によって右回転した液晶分子ＬＣＢＰＯＮの長軸方向とが略直交している。つまり、横電界ＥＬ１によって右回転した液晶分子ＬＣＢＰＯＮの長軸方向と、横電界ＥＬ２によって右回転した液晶分子ＬＣＢＰＯＮの短軸方向とが略一致している。
【０１２９】
したがって、上記実施の形態１における液晶表示装置ＬＣＤと同様に、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償することができる。これにより、色視野角特性を改善することができる。
【０１３０】
また、本変形例でも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＰは、いずれもシングルドメイン方式により駆動され、第１ドットＤＯＴ１及び第２ドットＤＯＴ２の主な透過領域では、一方向に回転する。したがって、一画素マルチドメイン方式と比べて透過率が向上する。また、行毎マルチドメイン方式のように特定の画像パターン表示について色視野角特性が劣化することもない。
【０１３１】
以上、本変形例における液晶表示装置ＬＣＤにおいても、透過率を低下させることなく、画像表示パターンによらず色視野角特性を改善することができる。
【０１３２】
ただし、本変形例では、上記実施の形態１における液晶表示装置ＬＣＤと比べて、透過率が若干低下する。これは、第２液晶セルＯＣ２の第２画素電極ＰＸ２の枠フレームと第２画素電極ＰＸ２との接続部において透過率が低下するからである。なお、第１ドットＤＯＴ１及び第２ドットＤＯＴ２のサイズ（画素サイズ）が大きい場合は、この影響は小さくなる。
【０１３３】
（実施の形態２）
次に、実施の形態２に係る液晶表示装置ＬＣＤについて説明する。
【０１３４】
図１３は、実施の形態２に係る液晶表示装置ＬＣＤにおける第１液晶表示パネルＬＣＤ１及び第２液晶表示パネルＬＣＤ２のドライバの構成を示す図である。
【０１３５】
図１３に示すように、本実施の形態に係る液晶表示装置ＬＣＤでも、第１液晶表示パネルＬＣＤ１には、第１画像表示領域ＤＩＳＰ１にカラー画像を表示するために、第１ソースドライバＳＤＣ１及び第１ゲートドライバＧＤＣ１が設けられている。
【０１３６】
具体的には、第１液晶表示パネルＬＣＤ１には、ＩＣパッケージからなる第１ソースドライバＳＤＣ１が実装された２個のフレキシブル配線基板ＳＴＣＰ１が接続されている。各ＳＴＣＰ１は、プリント基板ＳＫＩＢ１に接続されている。また、第１液晶表示パネルＬＣＤ１には、ＩＣパッケージからなる６個の第１ゲートドライバＧＤＣ１が実装されている。
【０１３７】
また、第２液晶表示パネルＬＣＤ２には、第２画像表示領域ＤＩＳＰ２にモノクロ画像を表示するために、第２ソースドライバＳＤＣ２及び第２ゲートドライバＧＤＣ２が設けられている。
【０１３８】
具体的には、上記実施の形態１と同様に、第２液晶表示パネルＬＣＤ２には、ＩＣパッケージからなる第２ソースドライバＳＤＣ２が実装された２個のフレキシブル配線基板ＳＴＣＰ２が接続されており、各ＳＴＣＰ２は、プリント基板ＳＫＩＢ２に接続されている。また、第２液晶表示パネルＬＣＤ２には、ＩＣパッケージからなる２個の第２ゲートドライバＧＤＣ２が実装されている。
【０１３９】
次に、本実施の形態に係る液晶表示装置ＬＣＤにおける第１液晶表示パネルＬＣＤ１及び第２液晶表示パネルＬＣＤ２の詳細構成について、図１４及び図１５を用いて説明する。
【０１４０】
図１４及び図１５は、実施の形態２に係る液晶表示装置ＬＣＤの断面図である。図１４は、後述する図１８（ａ）及び図１９（ａ）のXIV−XIV線における断面図であり、図１５は、後述する図１８（ａ）及び図１９（ａ）のXV−XV線における断面図である。
【０１４１】
図１４及び図１５に示すように、本実施の形態に係る液晶表示装置ＬＣＤは、上記実施の形態１に係る液晶表示装置ＬＣＤと同様の構成であり、第１偏光板ＰＯＬ１及び第２偏光板ＰＯＬ２で挟まれた第１液晶セルＯＣ１を有する第１液晶表示パネルＬＣＤ１と、第３偏光板ＰＯＬ３及び第４偏光板ＰＯＬ４で挟まれた第２液晶セルＯＣ２を有する第２液晶表示パネルＬＣＤ２とを備える。
【０１４２】
第１液晶セルＯＣ１は、上記実施の形態１と同様に、第１基板ＳＵＢ１と、第２基板ＳＵＢ２と、第１基板ＳＵＢ１及び第２基板ＳＵＢ２の間に設けられた第１液晶層ＬＣ１を有する。また、第２液晶セルＯＣ２は、上記実施の形態１と同様に、第３基板ＳＵＢ３と、第４基板ＳＵＢ４と、第３基板ＳＵＢ３及び第４基板ＳＵＢ４の間に設けられた第２液晶層ＬＣ２を有する。
【０１４３】
以下、本実施の形態に係る液晶表示装置ＬＣＤについて、上記実施の形態１に係る液晶表示装置ＬＣＤと異なる点を中心に説明する。
【０１４４】
図１６Ａは、実施の形態２に係る液晶表示装置ＬＣＤにおける第１液晶表示パネルＬＣＤ１の概略構成を模式的に示す図であり、図１６Ｂは、図１６Ａにおける第１液晶表示パネルＬＣＤ１の１つ分の画素ＵＤＯＴ１の回路構成を示す図である。また、図１７Ａは、同液晶表示装置ＬＣＤにおける第２液晶表示パネルＬＣＤ２の概略構成を模式的に示す図であり、図１７Ｂは、図１７Ａにおける第２液晶表示パネルＬＣＤ２の１つ分の画素ＬＤＯＴ２の回路構成を示す図である。
【０１４５】
上記実施の形態１における第１液晶セルＯＣ１では、図５Ａ及び図５Ｂに示すように、第１画像表示領域ＤＩＳＰ１における１つの画素ＵＤＯＴ１が、行方向に配列された、赤色ドットＤＯＴＲ、緑色ドットＤＯＴＧ及び青色ドットＤＯＴＢの３つの第１ドットＤＯＴ１によって構成されていた。具体的には、上記実施の形態１では、行方向に、赤色ドットＤＯＴＲ、緑色ドットＤＯＴＧ及び青色ドットＤＯＴＢがこの順で繰り返して配列され、列方向に同一色の第１ドットＤＯＴ１が配列されていた。
【０１４６】
これに対して、本実施の形態における第１液晶セルＯＣ１では、図１６Ａ及び図１６Ｂに示すように、第１画像表示領域ＤＩＳＰ１における１つの画素ＵＤＯＴ１が、列方向に配列された、赤色ドットＤＯＴＲ、緑色ドットＤＯＴＧ及び青色ドットＤＯＴＢの３つの第１ドットＤＯＴ１によって構成されている。具体的には、第１画像表示領域ＤＩＳＰ１において、赤色ドットＤＯＴＲ、緑色ドットＤＯＴＧ及び青色ドットＤＯＴＢが列方向にこの順に繰り返し配列されており、行方向には同一色の第１ドットＤＯＴ１が配列されている。
【０１４７】
また、図１７Ａ及び図１７Ｂに示すように、本実施の形態でも、第２液晶表示パネルＬＣＤ２の第２画像表示領域ＤＩＳＰ２の１つの画素ＬＤＯＴ２が、第１液晶表示パネルＬＣＤ１の第１画像表示領域ＤＩＳＰ１の１つの画素ＵＤＯＴ１に対応している。つまり、第２画像表示領域ＤＩＳＰ２の１つの画素ＬＤＯＴ２（第２ドットＤＯＴ２）は、第１画像表示領域ＤＩＳＰ１の３つの第１ドットＤＯＴ１（赤色ドットＤＯＴＲ、緑色ドットＤＯＴＧ、青色ドットＤＯＴＢ）に対応している。
【０１４８】
次に、本実施の形態に係る液晶表示装置ＬＣＤのドット（画素）のレイアウト及び各ドットにおける液晶分子の動きについて、図１８及び図１９を用いて説明する。
【０１４９】
図１８（ａ）は、実施の形態２に係る第１液晶表示パネルＬＣＤ１の画素ＵＤＯＴ１のレイアウトを示す図であり、図１８（ｂ）は、実施の形態２に係る第１液晶セルＯＣ１の第１液晶層ＬＣ１における液晶分子ＬＣＢＰの回転の動きを示す図である。図１９（ａ）は、実施の形態２に係る第２液晶表示パネルＬＣＤ２の画素ＬＤＯＴ２のレイアウトを示す図であり、図１９（ｂ）は、実施の形態２に係る第２液晶セルＯＣ２の第２液晶層ＬＣ２における液晶分子ＬＣＢＮの回転の動きを示す図である。
【０１５０】
図１８（ａ）に示すように、本実施の形態における第１液晶表示パネルＬＣＤ１では、上記実施の形態１と同様に、第１ソース配線ＳＬ１が列方向に延在するとともに第１ゲート配線ＧＬ１が行方向に延在しているが、上記実施の形態１と異なり、第１画素電極ＰＸ１は、第１ソース配線ＳＬ１と略直交する方向に延在しているとともに第１ゲート配線ＧＬ１と略平行に延在している。したがって、第１画素電極ＰＸ１の複数のスリットＳＬＩＴ１は、行方向に延在している。
【０１５１】
また、図１８（ｂ）に示すように、第１液晶表示パネルＬＣＤ１では、第１液晶層ＬＣ１の液晶分子ＬＣＢＰは、実施の形態１における第１液晶層ＬＣ１の液晶分子ＬＣＢＰと同様に、ポジ型である。なお、本実施の形態でも、第１液晶層ＬＣ１の液晶分子ＬＣＢＰに対する第１基板ＳＵＢ１及び第２基板ＳＵＢ２の配向軸は、略平行になっている。
【０１５２】
本実施の形態において、第１画素電極ＰＸ１と第１共通電極ＣＴ１とに電圧が印加されていない場合（黒表示の場合）、第１液晶層ＬＣ１における初期配向状態の液晶分子ＬＣＢＰＯＦＦの初期配向角度ＴＨＩＮは、第１基板ＳＵＢ１及び第２基板ＳＵＢ２の各々の配向膜によって、０°−１８０°線を基準に左回転（反時計回り）となるように設定されている。液晶分子ＬＣＢＰＯＦＦの長軸方向は、第２偏光板ＰＯＬ２の偏光軸（吸収軸）ＰＯＬＡ２の方向に略一致している。
【０１５３】
本実施の形態でも、第１画素電極ＰＸ１及び第１共通電極ＣＴ１に電圧が印加されると、第１画素電極ＰＸ１と第１共通電極ＣＴ１との間に第１基板ＳＵＢ１及び第２基板ＳＵＢ２に略平行な方向の電界（横電界ＥＬ１）が発生するが、本実施の形態では、第１画素電極ＰＸ１が行方向に延在しているので、図１２（ｂ）に示すように、列方向（９０°−２７０°線の方向）の横電界ＥＬ１が発生する。
【０１５４】
横電界ＥＬ１が発生すると、初期配向角度ＴＨＩＮにしたがって、第１液晶層ＬＣ１の液晶分子ＬＣＢＰが回転する。具体的には、横電界ＥＬ１が発生すると、液晶分子ＬＣＢＰは、液晶分子ＬＣＢＰＯＦＦの状態から所定の角度（例えば４５°）の位置まで左回転して液晶分子ＬＣＢＰＯＮの状態（白表示）になる。
【０１５５】
一方、図１９（ａ）に示すように、第２液晶表示パネルＬＣＤ２では、上記実施の形態１と同様に、第２ソース配線ＳＬ２が列方向に延在するとともに第２ゲート配線ＧＬ２が行方向に延在しているが、上記実施の形態１と異なり、第２画素電極ＰＸ２は、第２ソース配線ＳＬ２と略直交する方向に延在しているとともに第２ゲート配線ＧＬ２と略平行に延在している。したがって、第２画素電極ＰＸ２の複数のスリットＳＬＩＴ２は、行方向に延在している。
【０１５６】
また、図１９（ｂ）に示すように、第２液晶表示パネルＬＣＤ２では、第２液晶層ＬＣ２の液晶分子ＬＣＢＮは、実施の形態１における第２液晶層ＬＣ２の液晶分子ＬＣＢＮと同様に、ネガ型である。なお、本実施の形態でも、第２液晶層ＬＣ２の液晶分子ＬＣＢＮに対する第３基板ＳＵＢ３及び第４基板ＳＵＢ４の配向軸は、略平行になっている。
【０１５７】
本実施の形態において、第２画素電極ＰＸ２と第２共通電極ＣＴ２とに電圧が印加されていない場合（黒表示の場合）、第２液晶層ＬＣ２における初期配向状態の液晶分子ＬＣＢＮＯＦＦの初期配向角度ＴＨＩＮは、第３基板ＳＵＢ３及び第４基板ＳＵＢ４の各々の配向膜によって、９０°−２７０°線を基準に左回転（反時計回り）となるように設定されている。液晶分子ＬＣＢＮＯＦＦの長軸方向は、第４偏光板ＰＯＬ４の偏光軸（吸収軸）ＰＯＬＡ４の方向に略一致している。
【０１５８】
本実施の形態でも、第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生するが、本実施の形態では、第２画素電極ＰＸ２が行方向に延在しているので、図１９（ｂ）に示すように、列方向（９０°−２７０°線の方向）の横電界ＥＬ２が発生する。
【０１５９】
横電界ＥＬ２が発生すると、初期配向角度ＴＨＩＮにしたがって、第２液晶層ＬＣ２の液晶分子ＬＣＢＮが回転する。具体的には、横電界ＥＬ２が発生すると、液晶分子ＬＣＢＮは、液晶分子ＬＣＢＮＯＦＦの状態から所定の角度（例えば４５°）の位置まで左回転して液晶分子ＬＣＢＮＯＮの状態（白表示）になる。
【０１６０】
本実施の形態における液晶表示装置ＬＣＤにおいても、第１液晶表示パネルＬＣＤ１における第１基板ＳＵＢ１及び第２基板ＳＵＢ２の配向軸と、第２液晶表示パネルＬＣＤ２における第３基板ＳＵＢ３及び第４基板ＳＵＢ４の配向軸とが略直交している。これにより、第１液晶セルＯＣ１及び第２液晶セルＯＣ２に横電界ＥＬ１及びＥＬ２が発生していない場合に、第１液晶層ＬＣ１の液晶分子ＬＣＢＰの長軸方向（配向軸方向）と、第２液晶層ＬＣ２の液晶分子ＬＣＢＮの長軸方向（配向軸方向）とが略直交する。
【０１６１】
そして、第１液晶セルＯＣ１の第１ドットＤＯＴ１における第１画素電極ＰＸ１及び第１共通電極ＣＴ１に電圧が印加されるとともに、第２液晶セルＯＣ２の第２ドットＤＯＴ２における第２画素電極ＰＸ２及び第２共通電極ＣＴ２に電圧が印加されると、第１ドットＤＯＴ１には一方向のみの横電界ＥＬ１が発生するとともに、第２ドットＤＯＴ２にも一方向のみの横電界ＥＬ２が発生する。このとき、本実施の形態でも、第１ドットＤＯＴ１に発生する横電界ＥＬ１の電界方向と、第２ドットＤＯＴ２に発生する横電界ＥＬ２の電界方向とが略同じになっている。
【０１６２】
このような横電界ＥＬ１及びＥＬ２が発生すると、第１液晶層ＬＣ１の第１ドットＤＯＴ１の液晶分子ＬＣＢＰが回転するとともに、第２液晶層ＬＣ２の第２ドットＤＯＴ２の液晶分子ＬＣＢＮが回転する。本実施の形態では、第１液晶層ＬＣ１の液晶分子ＬＣＢＰの回転方向と第２液晶セルＯＣ２の液晶分子ＬＣＢＮの回転方向とが同じになっているが、実施の形態１と異なり、いずれも左回転となっている。
【０１６３】
これにより、第１液晶セルＯＣ１に発生する横電界ＥＬ１によって左回転した液晶分子ＬＣＢＰＯＮの長軸方向と、第２液晶セルＯＣ２に発生する横電界ＥＬ２によって左回転した液晶分子ＬＣＢＮＯＮの長軸方向とが略直交する状態となる。つまり、第１液晶セルＯＣ１に横電界ＥＬ１が発生し、かつ、第２液晶セルＯＣ２に横電界ＥＬ２が発生している場合、第１液晶層ＬＣ１の液晶分子ＬＣＢＰＯＮの長軸方向と、第２液晶層ＬＣ２の液晶分子ＬＣＢＮＯＮの短軸方向とが略一致している。
【０１６４】
したがって、実施の形態１と同様に、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＮ（液晶分子ＬＣＢＮＯＮ）とによって相殺補償することができる。したがって、液晶表示装置ＬＣＤの表示画面全体における所定の方向の色付きが相殺されて色視野角特性を改善することができる。
【０１６５】
このように、本実施の形態における液晶表示装置ＬＣＤでも、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償するように構成されている。
【０１６６】
また、本実施の形態における液晶表示装置ＬＣＤでも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＮは、いずれもシングルドメイン方式により駆動され、第１ドットＤＯＴ１及び第２ドットＤＯＴ２の主な透過領域では、一方向に回転する。これにより、一画素マルチドメイン方式と比べて透過率を向上させることができる。また、行毎マルチドメイン方式のように特定の画像パターン表示について色視野角特性が劣化することもない。
【０１６７】
したがって、本実施の形態における液晶表示装置ＬＣＤでも、透過率を低下させることなく、画像表示パターンによらず色視野角特性を改善することができる。
【０１６８】
ただし、本実施の形態では、上記実施の形態１における液晶表示装置ＬＣＤと比べて、透過率が若干低下する。これは、第１液晶セルＯＣ１及び第２液晶セルＯＣ２において、第１画素電極ＰＸ１（第２画素電極ＰＸ２）の枠フレームと第１画素電極ＰＸ１（第２画素電極ＰＸ２）との接続部において透過率が低下するからである。なお、第１ドットＤＯＴ１及び第２ドットＤＯＴ２のサイズ（画素サイズ）が大きい場合は、この影響は小さくなる。
【０１６９】
また、本実施の形態では、第１液晶表示パネルＬＣＤ１を観察者側（上側）に配置し、第２液晶表示パネルＬＣＤ２をバックライトＢＬ側（下側）に配置したが、これに限らない。具体的には、第１液晶表示パネルＬＣＤ１をバックライトＢＬ側（下側）に配置し、第２液晶表示パネルＬＣＤ２を観察者側（上側）に配置しても、第１液晶セルＯＣ１又は第２液晶セルＯＣ２の色相変化を相殺補償して色視野角特性を改善することができる。
【０１７０】
また、本実施の形態では、第１液晶セルＯＣ１の液晶分子ＬＣＢＰ及び第２液晶セルＯＣ２の液晶分子ＬＣＢＮは、横電界によって左回転（反時計回り）となるように初期配向角度ＴＨＩＮが設定されていたが、これに限らない。例えば、第１液晶セルＯＣ１の液晶分子ＬＣＢＰ及び第２液晶セルＯＣ２の液晶分子ＬＣＢＮは、横電界によって右回転（時計回り）となるように初期配向角度ＴＨＩＮが設定されていてもよい。この場合も、第１液晶セルＯＣ１又は第２液晶セルＯＣ２の色相変化を相殺補償して色視野角特性を改善することができる。
【０１７１】
（実施の形態２の変形例）
次に、実施の形態２の変形例に係る液晶表示装置ＬＣＤについて、図２０〜図２３を用いて説明する。
【０１７２】
図２０及び図２１は、実施の形態２の変形例に係る液晶表示装置ＬＣＤの断面図である。図２２（ａ）は、実施の形態２の変形例に係る第１液晶表示パネルＬＣＤ１の画素ＵＤＯＴ１のレイアウトを示す図であり、図２２（ｂ）は、実施の形態２の変形例に係る第１液晶セルＯＣ１の第１液晶層ＬＣ１における液晶分子ＬＣＢＰの回転の動きを示す図である。図２３（ａ）は、実施の形態２の変形例に係る第２液晶表示パネルＬＣＤ２の画素ＬＤＯＴ２のレイアウトを示す図であり、図２３（ｂ）は、実施の形態２の変形例に係る第２液晶セルＯＣ２の第２液晶層ＬＣ２における液晶分子ＬＣＢＰの回転の動きを示す図である。なお、図２０は、図２２（ａ）及び図２３（ａ）のXX−XX線における断面図であり、図２１は、図２２（ａ）及び図２３（ａ）のXXI−XXI線における断面図である。
【０１７３】
図２０〜図２２に示すように、本変形例において、第１液晶表示パネルＬＣＤ１は、上記実施の形態２における第１液晶表示パネルＬＣＤ１と同じである。
【０１７４】
一方、図２０、図２１及び図２３に示すように、本変形例における第２液晶表示パネルＬＣＤ２は、上記実施の形態２における第２液晶表示パネルＬＣＤ２と異なる。
【０１７５】
具体的には、図２３（ａ）に示すように、本変形例における第２液晶表示パネルＬＣＤ２では、上記実施の形態２と同様に、第２ソース配線ＳＬ２が列方向に延在するとともに第２ゲート配線ＧＬ２が行方向に延在しているが、上記実施の形態２と異なり、第２画素電極ＰＸ２は、第２ソース配線ＳＬ２と略平行に延在しているとともに第２ゲート配線ＧＬ２と略直交する方向に延在している。つまり、第２画素電極ＰＸ２は、列方向に延在している。したがって、第２画素電極ＰＸ２の複数のスリットＳＬＩＴ２は、列方向に延在している。
【０１７６】
また、図２３（ｂ）に示すように、第２液晶表示パネルＬＣＤ２では、第２液晶層ＬＣ２の液晶分子ＬＣＢＰがネガ型ではなくポジ型である。つまり、本変形例では、第１液晶層ＬＣ１の液晶分子ＬＣＢＰ及び第２液晶層ＬＣ２の液晶分子ＬＣＢＰは、いずれもポジ型である。なお、本変形例でも、第２液晶層ＬＣ２の液晶分子ＬＣＢＰに対する第３基板ＳＵＢ３及び第４基板ＳＵＢ４の配向軸は、略平行になっている。
【０１７７】
本変形例において、第２画素電極ＰＸ２と第２共通電極ＣＴ２とに電圧が印加されていない場合（黒表示の場合）、第２液晶層ＬＣ２における初期配向状態の液晶分子ＬＣＢＰＯＦＦの初期配向角度ＴＨＩＮは、第３基板ＳＵＢ３及び第４基板ＳＵＢ４の各々の配向膜によって、９０°−２７０°線を基準に左回転（反時計回り）となるように設定されている。液晶分子ＬＣＢＰＯＦＦの長軸方向は、第４偏光板ＰＯＬ４の偏光軸（吸収軸）ＰＯＬＡ４の方向に略一致している。
【０１７８】
本変形例でも、第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生するが、本変形例では、第２画素電極ＰＸ２は第２ソース配線ＳＬ２と略平行で列方向に延在しているので、図２３（ｂ）に示すように、行方向（０°−１８０°線の方向）の横電界ＥＬ２が発生する。
【０１７９】
横電界ＥＬ２が発生すると、初期配向角度ＴＨＩＮにしたがって、第２液晶層ＬＣ２の液晶分子ＬＣＢＰが回転する。具体的には、横電界ＥＬ２が発生すると、液晶分子ＬＣＢＰは、液晶分子ＬＣＢＰＯＦＦの状態から所定の角度（例えば４５°）の位置まで左回転して液晶分子ＬＣＢＰＯＮの状態（白表示）になる。
【０１８０】
このように、本変形例における液晶表示装置ＬＣＤでも、第１液晶表示パネルＬＣＤ１に発生する横電界ＥＬ１によって左回転した液晶分子ＬＣＢＰＯＮの長軸方向と、第２液晶表示パネルＬＣＤ２に発生する横電界ＥＬ２によって左回転した液晶分子ＬＣＢＰＯＮの長軸方向とが略直交している。つまり、横電界ＥＬ１によって左回転した液晶分子ＬＣＢＰＯＮの長軸方向と、横電界ＥＬ２によって左回転した液晶分子ＬＣＢＰＯＮの短軸方向とが略一致している。
【０１８１】
したがって、上記実施の形態２における液晶表示装置ＬＣＤと同様に、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償することができる。これにより、色視野角特性を改善することができる。
【０１８２】
また、本変形例でも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＰは、いずれもシングルドメイン方式により駆動され、第１ドットＤＯＴ１及び第２ドットＤＯＴ２の主な透過領域では、一方向に回転する。したがって、一画素マルチドメイン方式と比べて透過率が向上する。また、行毎マルチドメイン方式のように特定の画像パターン表示について色視野角特性が劣化することもない。
【０１８３】
以上、本変形例における液晶表示装置ＬＣＤにおいても、透過率を低下させることなく、画像表示パターンによらず色視野角特性を改善することができる。
【０１８４】
（実施の形態３）
次に、実施の形態３に係る液晶表示装置ＬＣＤについて説明する。
【０１８５】
本実施の形態に係る液晶表示装置ＬＣＤは、上記実施の形態１、２に係る液晶表示装置ＬＣＤと同様に、第１偏光板ＰＯＬ１及び第２偏光板ＰＯＬ２で挟まれた第１液晶セルＯＣ１を有する第１液晶表示パネルＬＣＤ１と、第３偏光板ＰＯＬ３及び第４偏光板ＰＯＬ４で挟まれた第２液晶セルＯＣ２を有する第２液晶表示パネルＬＣＤ２とを備える。
【０１８６】
本実施の形態に係る液晶表示装置ＬＣＤでは、第１偏光板ＰＯＬ１〜第４偏光板ＰＯＬ４の偏光軸の方向と、液晶表示装置ＬＣＤの表示画面の行方向（０°−１８０°線）又は列方向（９０°−２７０°線）とが同一方向となるように構成されている。
【０１８７】
このため、本実施の形態に係る液晶表示装置ＬＣＤは、上記実施の形態１、２に係る液晶表示装置ＬＣＤに対して、第１液晶表示パネルＬＣＤ１及び第２液晶表示パネルＬＣＤ２のドット（画素）の電極形状が異なっている。
【０１８８】
以下、本実施の形態に係る液晶表示装置ＬＣＤについて、図２４及び図２５を用いて詳細に説明する。
【０１８９】
図２４（ａ）は、実施の形態３に係る第１液晶表示パネルＬＣＤ１の画素ＵＤＯＴ１のレイアウトを示す図であり、図２４（ｂ）は、実施の形態３に係る第１液晶セルＯＣ１の第１液晶層ＬＣ１における液晶分子ＬＣＢＰの回転の動きを示す図である。図２５（ａ）は、実施の形態３に係る第２液晶表示パネルＬＣＤ２の画素ＬＤＯＴ２のレイアウトを示す図であり、図２５（ｂ）は、実施の形態３に係る第２液晶セルＯＣ２の第２液晶層ＬＣ２における液晶分子ＬＣＢＮの回転の動きを示す図である。
【０１９０】
図２４（ａ）に示すように、第１液晶表示パネルＬＣＤ１では、上記実施の形態１、２と同様に、第１ソース配線ＳＬ１が列方向に延在するとともに第１ゲート配線ＧＬ１が行方向に延在しているが、上記実施の形態１、２と異なり、第１画素電極ＰＸ１は、第１ソース配線ＳＬ１及び第１ゲート配線ＧＬ１のいずれにとも平行になっておらず、第１ソース配線ＳＬ１及び第１ゲート配線ＧＬ１に対して傾斜するように延在している。したがって、第１画素電極ＰＸ１の複数のスリットＳＬＩＴ１は、第１ソース配線ＳＬ１及び第１ゲート配線ＧＬ１に対して傾斜するように延在している。具体的には、第１画素電極ＰＸ１のスリットＳＬＩＴ１は、右下がりで傾斜するように延在している。
【０１９１】
そして、本実施の形態では、列方向に延在する第１ソース配線ＳＬ１は、第２偏光板ＰＯＬ２の偏光軸ＰＯＬＡ２と略平行であり、行方向に延在する第１ゲート配線ＧＬ１は、第１偏光板ＰＯＬ１の偏光軸ＰＯＬＡ１と略平行である。
【０１９２】
また、図２４（ｂ）に示すように、第１液晶表示パネルＬＣＤ１では、第１液晶層ＬＣ１の液晶分子ＬＣＢＰは、実施の形態１、２における第１液晶層ＬＣ１の液晶分子ＬＣＢＰと同様に、ポジ型である。なお、本実施の形態でも、第１液晶層ＬＣ１の液晶分子ＬＣＢＰに対する第１基板ＳＵＢ１及び第２基板ＳＵＢ２の配向軸は、略平行になっている。
【０１９３】
本実施の形態において、第１液晶層ＬＣ１における初期配向状態の液晶分子ＬＣＢＰＯＦＦの初期配向軸（長軸方向）は、第１ソース配線ＳＬ１と略直交する方向、つまり行方向（０°−１８０°線）に略一致させている。液晶分子ＬＣＢＰＯＦＦの初期配向角度ＴＨＩＮは、これを基準にして、０°＜ＴＨＩＮ＜２０°の範囲で、左回転（反時計回り）となるように設定されている。なお、液晶分子ＬＣＢＰＯＦＦの長軸方向は、第２偏光板ＰＯＬ２の偏光軸（吸収軸）ＰＯＬＡ２の方向に略一致している。
【０１９４】
本実施の形態でも、第１画素電極ＰＸ１及び第１共通電極ＣＴ１に電圧が印加されると、第１画素電極ＰＸ１と第１共通電極ＣＴ１との間に第１基板ＳＵＢ１及び第２基板ＳＵＢ２に略平行な方向の電界（横電界ＥＬ１）が発生するが、本実施の形態では、第１画素電極ＰＸ１が傾斜するように延在しているので、図２４（ｂ）に示すように、列方向及び列方向に対して斜め方向の横電界ＥＬ１が発生する。
【０１９５】
横電界ＥＬ１が発生すると、初期配向角度ＴＨＩＮにしたがって、第１液晶層ＬＣ１の液晶分子ＬＣＢＰが回転する。具体的には、横電界ＥＬ１が発生すると、液晶分子ＬＣＢＰは、液晶分子ＬＣＢＰＯＦＦの状態から所定の角度（例えば４５°）の位置まで左回転して液晶分子ＬＣＢＰＯＮの状態（白表示）になる。
【０１９６】
一方、図２５（ａ）に示すように、第２液晶表示パネルＬＣＤ２では、上記実施の形態１、２と同様に、第２ソース配線ＳＬ２が列方向に延在するとともに第２ゲート配線ＧＬ２が行方向に延在しているが、上記実施の形態１、２と異なり、第２画素電極ＰＸ２は、互いに略直交する第２ソース配線ＳＬ２及び第２ゲート配線ＧＬ２に対して傾斜するように延在している。したがって、第２画素電極ＰＸ２の複数のスリットＳＬＩＴ２は、第２ソース配線ＳＬ２及び第２ゲート配線ＧＬ２に対して傾斜するように延在している。具体的には、第２画素電極ＰＸ２のスリットＳＬＩＴ２は、右下がりで傾斜するように延在している。
【０１９７】
そして、本実施の形態では、列方向に延在する第１ソース配線ＳＬ１は、第４偏光板ＰＯＬ４の偏光軸ＰＯＬＡ４と略平行であり、行方向に延在する第２ゲート配線ＧＬ２は、第３偏光板ＰＯＬ３の偏光軸ＰＯＬＡ３と略平行である。
【０１９８】
また、図２５（ｂ）に示すように、第２液晶表示パネルＬＣＤ２では、第２液晶層ＬＣ２の液晶分子ＬＣＢＮは、実施の形態１、２における第２液晶層ＬＣ２の液晶分子ＬＣＢＮと同様に、ネガ型である。なお、本実施の形態でも、第２液晶層ＬＣ２の液晶分子ＬＣＢＮに対する第３基板ＳＵＢ３及び第４基板ＳＵＢ４の配向軸は、略平行になっている。
【０１９９】
本実施の形態において、第２液晶層ＬＣ２における初期配向状態の液晶分子ＬＣＢＮＯＦＦの初期配向軸（長軸方向）は、第２ソース配線ＳＬ２と略平行、つまり列方向（９０°−２７０°線）となるように設定している。液晶分子ＬＣＢＮＯＦＦの初期配向角度ＴＨＩＮは、これを基準にして、０°＜ＴＨＩＮ＜２０°の範囲で、左回転（半時計回り）となるように設定されている。なお、液晶分子ＬＣＢＮＯＦＦの長軸方向は、第４偏光板ＰＯＬ４の偏光軸（吸収軸）ＰＯＬＡ４の方向に略一致している。
【０２００】
本実施の形態でも、第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生するが、本実施の形態では、第２画素電極ＰＸ２が傾斜するように延在しているので、図２５（ｂ）に示すように、行方向及び列方向に対して斜め方向の横電界ＥＬ２が発生する。
【０２０１】
横電界ＥＬ２が発生すると、初期配向角度ＴＨＩＮにしたがって、第２液晶層ＬＣ２の液晶分子ＬＣＢＮが回転する。具体的には、横電界ＥＬ２が発生すると、液晶分子ＬＣＢＮは、液晶分子ＬＣＢＮＯＦＦの状態から所定の角度（例えば４５°）の位置まで左回転して液晶分子ＬＣＢＮＯＮの状態（白表示）になる。
【０２０２】
本実施の形態における液晶表示装置ＬＣＤにおいては、第１液晶表示パネルＬＣＤ１における第１基板ＳＵＢ１及び第２基板ＳＵＢ２の配向軸と、第２液晶表示パネルＬＣＤ２における第３基板ＳＵＢ３及び第４基板ＳＵＢ４の配向軸とが略直交している。これにより、第１液晶セルＯＣ１及び第２液晶セルＯＣ２に横電界ＥＬ１及びＥＬ２が発生していない場合に、第１液晶層ＬＣ１の液晶分子ＬＣＢＰの長軸方向（配向軸方向）と、第２液晶層ＬＣ２の液晶分子ＬＣＢＮの長軸方向（配向軸方向）とが略直交している。
【０２０３】
そして、第１液晶セルＯＣ１の第１ドットＤＯＴ１における第１画素電極ＰＸ１及び第１共通電極ＣＴ１に電圧が印加されるとともに、第２液晶セルＯＣ２の第２ドットＤＯＴ２における第２画素電極ＰＸ２及び第２共通電極ＣＴ２に電圧が印加されると、第１ドットＤＯＴ１には一方向のみの横電界ＥＬ１が発生するとともに、第２ドットＤＯＴ２にも一方向のみの横電界ＥＬ２が発生する。このとき、本実施の形態でも、第１ドットＤＯＴ１に発生する横電界ＥＬ１の電界方向と、第２ドットＤＯＴ２に発生する横電界ＥＬ２の電界方向とが略同じになっている。
【０２０４】
このような横電界ＥＬ１及びＥＬ２が発生すると、第１液晶層ＬＣ１の第１ドットＤＯＴ１の液晶分子ＬＣＢＰが回転するとともに、第２液晶層ＬＣ２の第２ドットＤＯＴ２の液晶分子ＬＣＢＮが回転する。本実施の形態では、第１液晶層ＬＣ１の液晶分子ＬＣＢＰの回転方向と第２液晶セルＯＣ２の液晶分子ＬＣＢＮの回転方向とが同じで、いずれも左回転となっている。
【０２０５】
これにより、第１液晶セルＯＣ１に発生する横電界ＥＬ１によって左回転した液晶分子ＬＣＢＰＯＮの長軸方向と、第２液晶セルＯＣ２に発生する横電界ＥＬ２によって左回転した液晶分子ＬＣＢＮＯＮの長軸方向とが略直交する状態となる。つまり、第１液晶セルＯＣ１に横電界ＥＬ１が発生し、かつ、第２液晶セルＯＣ２に横電界ＥＬ２が発生している場合、第１液晶層ＬＣ１の液晶分子ＬＣＢＰＯＮの長軸方向と、第２液晶層ＬＣ２の液晶分子ＬＣＢＮＯＮの短軸方向とが略一致している。
【０２０６】
したがって、実施の形態１、２と同様に、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＮ（液晶分子ＬＣＢＮＯＮ）とによって相殺補償することができる。したがって、液晶表示装置ＬＣＤの表示画面全体における所定の方向の色付きが相殺されて色視野角特性を改善することができる。
【０２０７】
このように、本実施の形態における液晶表示装置ＬＣＤでも、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償するように構成されている。
【０２０８】
また、本実施の形態における液晶表示装置ＬＣＤでも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＮは、いずれもシングルドメイン方式により駆動され、第１ドットＤＯＴ１及び第２ドットＤＯＴ２の主な透過領域では、一方向に回転する。これにより、一画素マルチドメイン方式と比べて透過率を向上させることができる。また、行毎マルチドメイン方式のように特定の画像パターン表示について色視野角特性が劣化することもない。
【０２０９】
したがって、本実施の形態における液晶表示装置ＬＣＤでも、透過率を低下させることなく、画像表示パターンによらず色視野角特性を改善することができる。
【０２１０】
しかも、本実施の形態では、第１ソース配線ＳＬ１が第１偏光板ＰＯＬ１の偏光軸ＰＯＬＡ１と略平行に延在し、第１ゲート配線ＧＬ１が第２偏光板ＰＯＬ２の偏光軸ＰＯＬＡ２と略平行に延在している。また、第２ソース配線ＳＬ２が第４偏光板ＰＯＬ４の偏光軸ＰＯＬＡ４と略平行に延在し、第２ゲート配線ＧＬ２が第３偏光板ＰＯＬ３の偏光軸ＰＯＬＡ３と略平行に延在している。
【０２１１】
これにより、第１偏光板ＰＯＬ１の偏光軸ＰＯＬＡ１が列方向（９０°−２７０°線）と略一致し、第２偏光板ＰＯＬ２の偏光軸ＰＯＬＡ２が行方向（０°−１８０°線）と略一致している。また、第３偏光板ＰＯＬ３の偏光軸ＰＯＬＡ３が行方向（０°−１８０°線）と略一致し、第４偏光板ＰＯＬ４の偏光軸ＰＯＬＡ４が列方向（９０°−２７０°線）と略一致している。
【０２１２】
したがって、大判の偏光板シートをカットして個々の偏光板を切り出す場合、大判の偏光板シートを斜めにカットすることなく矩形状にカットすることができるので、偏光板の取得率を上げることができる。
【０２１３】
（実施の形態３の変形例１）
次に、実施の形態３の変形例１に係る液晶表示装置ＬＣＤについて、図２６及び図２７を用いて説明する。
【０２１４】
図２６（ａ）は、実施の形態３の変形例１に係る第１液晶表示パネルＬＣＤ１の画素ＵＤＯＴ１のレイアウトを示す図であり、図２６（ｂ）は、実施の形態３の変形例１に係る第１液晶セルＯＣ１の第１液晶層ＬＣ１における液晶分子ＬＣＢＰの回転の動きを示す図である。図２７（ａ）は、実施の形態３の変形例１に係る第２液晶表示パネルＬＣＤ２の画素ＬＤＯＴ２のレイアウトを示す図であり、図２７（ｂ）は、実施の形態３の変形例１に係る第２液晶セルＯＣ２の第２液晶層ＬＣ２における液晶分子ＬＣＢＰの回転の動きを示す図である。
【０２１５】
図２６の（ａ）及び（ｂ）に示すように、本変形例において、第１液晶表示パネルＬＣＤ１は、上記実施の形態３における第１液晶表示パネルＬＣＤ１と同じである。
【０２１６】
一方、図２７の（ａ）及び（ｂ）に示すように、本変形例における第２液晶表示パネルＬＣＤ２は、上記実施の形態３における第２液晶表示パネルＬＣＤ２と異なる。
【０２１７】
具体的には、図２７（ａ）に示すように、本変形例における第２液晶表示パネルＬＣＤ２では、上記実施の形態３と同様に、第２画素電極ＰＸ２が第２ソース配線ＳＬ２及び第２ゲート配線ＧＬ２に対して傾斜するように延在しているが、上記実施の形態３と異なり、本変形例における第２画素電極ＰＸ２は、右上がりで傾斜するように延在している。したがって、第２画素電極ＰＸ２の複数のスリットＳＬＩＴ２も右上がりで傾斜するように延在している。
【０２１８】
また、本変形例でも、列方向に延在する第１ソース配線ＳＬ１は、第４偏光板ＰＯＬ４の偏光軸ＰＯＬＡ４と略平行であり、行方向に延在する第２ゲート配線ＧＬ２は、第３偏光板ＰＯＬ３の偏光軸ＰＯＬＡ３と略平行である。
【０２１９】
また、図２７（ｂ）に示すように、本変形例における第２液晶表示パネルＬＣＤ２では、第２液晶層ＬＣ２の液晶分子ＬＣＢＰがネガ型ではなくポジ型である。つまり、本変形例では、第１液晶層ＬＣ１の液晶分子ＬＣＢＰ及び第２液晶層ＬＣ２の液晶分子ＬＣＢＰは、いずれもポジ型である。なお、本変形例でも、第２液晶層ＬＣ２の液晶分子ＬＣＢＰに対する第３基板ＳＵＢ３及び第４基板ＳＵＢ４の配向軸は、略平行になっている。
【０２２０】
本変形例において、第２液晶層ＬＣ２における初期配向状態の液晶分子ＬＣＢＰＯＦＦの初期配向軸（長軸方向）は、第２ゲート配線ＧＬ２と略平行、つまり列方向（０°−１８０°線）となるように設定している。液晶分子ＬＣＢＰＯＦＦの初期配向角度ＴＨＩＮは、これを基準にして、０°＜ＴＨＩＮ＜２０°の範囲で、右回転（時計回り）となるように設定されている。つまり、第２液晶層ＬＣ２の液晶分子ＬＣＢＰの回転方向は、第１液晶層ＬＣ１の液晶分子ＬＣＢＰの回転方向と逆方向となっている。なお、第２液晶層ＬＣ２の液晶分子ＬＣＢＰＯＦＦの長軸方向は、第３偏光板ＰＯＬ３の偏光軸（吸収軸）ＰＯＬＡ３の方向に略一致している。
【０２２１】
本変形例でも、第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生するが、本変形例では、第２画素電極ＰＸ２が傾斜するように延在しているので、図２７（ｂ）に示すように、行方向及び列方向に対して斜め方向の横電界ＥＬ２が発生する。
【０２２２】
横電界ＥＬ２が発生すると、初期配向角度ＴＨＩＮにしたがって、第２液晶層ＬＣ２の液晶分子ＬＣＢＰが回転する。具体的には、横電界ＥＬ２が発生すると、液晶分子ＬＣＢＰは、液晶分子ＬＣＢＰＯＦＦの状態から所定の角度（例えば４５°）の位置まで右回転して液晶分子ＬＣＢＰＯＮの状態（白表示）になる。
【０２２３】
本変形例における液晶表示装置ＬＣＤでは、上記実施の形態３とは異なり、第１液晶表示パネルＬＣＤ１における第１基板ＳＵＢ１及び第２基板ＳＵＢ２の配向軸と、第２液晶表示パネルＬＣＤ２における第３基板ＳＵＢ３及び第４基板ＳＵＢ４の配向軸とが略平行となっている。これにより、第１液晶セルＯＣ１及び第２液晶セルＯＣ２に横電界ＥＬ１及びＥＬ２が発生していない場合に、第１液晶層ＬＣ１の液晶分子ＬＣＢＰの長軸方向（配向軸方向）と、第２液晶層ＬＣ２の液晶分子ＬＣＢＰの長軸方向（配向軸方向）とが略一致する。
【０２２４】
そして、第１液晶セルＯＣ１の第１ドットＤＯＴ１における第１画素電極ＰＸ１及び第１共通電極ＣＴ１に電圧が印加されるとともに、第２液晶セルＯＣ２の第２ドットＤＯＴ２における第２画素電極ＰＸ２及び第２共通電極ＣＴ２に電圧が印加されると、第１ドットＤＯＴ１には一方向のみの横電界ＥＬ１が発生するとともに、第２ドットＤＯＴ２にも一方向のみの横電界ＥＬ２が発生する。このとき、本変形例では、第１ドットＤＯＴ１に発生する横電界ＥＬ１の電界方向と、第２ドットＤＯＴ２に発生する横電界ＥＬ２の電界方向とは異なっている。
【０２２５】
このような横電界ＥＬ１及びＥＬ２が発生すると、第１液晶層ＬＣ１の第１ドットＤＯＴ１の液晶分子ＬＣＢＰが回転するとともに、第２液晶層ＬＣ２の第２ドットＤＯＴ２の液晶分子ＬＣＢＰが回転する。本変形例では、第１液晶層ＬＣ１の液晶分子ＬＣＢＰの回転方向と第２液晶セルＯＣ２の液晶分子ＬＣＢＰの回転方向とが逆方向であり、第１液晶層ＬＣ１の液晶分子ＬＣＢＰは左回転し、第２液晶セルＯＣ２の液晶分子ＬＣＢＰは右回転する。
【０２２６】
これにより、第１液晶セルＯＣ１に発生する横電界ＥＬ１によって左回転した液晶分子ＬＣＢＰＯＮの長軸方向と、第２液晶セルＯＣ２に発生する横電界ＥＬ２によって右回転した液晶分子ＬＣＢＰＯＮの長軸方向とが略直交する状態となる。つまり、第１液晶セルＯＣ１に横電界ＥＬ１が発生し、かつ、第２液晶セルＯＣ２に横電界ＥＬ２が発生している場合、第１液晶層ＬＣ１の液晶分子ＬＣＢＰＯＮの長軸方向と、第２液晶層ＬＣ２の液晶分子ＬＣＢＰＯＮの短軸方向とが略一致している。
【０２２７】
したがって、上記実施の形態３と同様に、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＰ（液晶分子ＬＣＢＰＯＮ）とによって相殺補償することができる。したがって、液晶表示装置ＬＣＤの表示画面全体における所定の方向の色付きが相殺されて色視野角特性を改善することができる。
【０２２８】
このように、本変形例における液晶表示装置ＬＣＤでも、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＰの回転とによって相殺補償するように構成されている。
【０２２９】
また、本変形例における液晶表示装置ＬＣＤでも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＰは、いずれもシングルドメイン方式により駆動され、第１ドットＤＯＴ１及び第２ドットＤＯＴ２の主な透過領域では、一方向に回転する。これにより、一画素マルチドメイン方式と比べて透過率を向上させることができる。また、行毎マルチドメイン方式のように特定の画像パターン表示について色視野角特性が劣化することもない。
【０２３０】
したがって、本変形例における液晶表示装置ＬＣＤでも、透過率を低下させることなく、画像表示パターンによらず色視野角特性を改善することができる。
【０２３１】
また、本変形例でも、第１偏光板ＰＯＬ１の偏光軸ＰＯＬＡ１が列方向（９０°−２７０°線）と略一致し、第２偏光板ＰＯＬ２の偏光軸ＰＯＬＡ２が行方向（０°−１８０°線）と略一致している。また、第３偏光板ＰＯＬ３の偏光軸ＰＯＬＡ３が行方向（０°−１８０°線）と略一致し、第４偏光板ＰＯＬ４の偏光軸ＰＯＬＡ４が列方向（９０°−２７０°線）と略一致している。したがって、上記実施の形態３と同様に、大判の偏光板シートを斜めにカットすることなく矩形状にカットすることができるので、偏光板の取得率を上げることができる。
【０２３２】
（実施の形態３の変形例２）
次に、実施の形態３の変形例２に係る液晶表示装置ＬＣＤについて、図２８及び図２９を用いて説明する。
【０２３３】
図２８（ａ）は、実施の形態３の変形例２に係る第１液晶表示パネルＬＣＤ１の画素ＵＤＯＴ１のレイアウトを示す図であり、図２８（ｂ）は、実施の形態３の変形例２に係る第１液晶セルＯＣ１の第１液晶層ＬＣ１における液晶分子ＬＣＢＰの回転の動きを示す図である。図２９（ａ）は、実施の形態３の変形例２に係る第２液晶表示パネルＬＣＤ２の画素ＬＤＯＴ２のレイアウトを示す図であり、図２９（ｂ）は、実施の形態３の変形例２に係る第２液晶セルＯＣ２の第２液晶層ＬＣ２における液晶分子ＬＣＢＮの回転の動きを示す図である。
【０２３４】
図２８の（ａ）及び（ｂ）に示すように、本変形例において、第１液晶表示パネルＬＣＤ１は、上記実施の形態３における第１液晶表示パネルＬＣＤ１と同じである。
【０２３５】
一方、図２９の（ａ）及び（ｂ）に示すように、本変形例における第２液晶表示パネルＬＣＤ２は、上記実施の形態３における第２液晶表示パネルＬＣＤ２と異なる。
【０２３６】
具体的には、図２９（ａ）に示すように、本変形例における第２液晶表示パネルＬＣＤ２では、上記実施の形態３と同様に、第２画素電極ＰＸ２が右下がりで傾斜するように延在しているが、上記実施の形態３と異なり、本変形例における第２画素電極ＰＸ２は、横電界ＥＬ２が第１液晶セルＯＣ１で発生する横電界ＥＬ１の方向と略直交する方向で発生するように右下がりで傾斜するように延在している。
【０２３７】
また、本変形例でも、列方向に延在する第１ソース配線ＳＬ１は、第４偏光板ＰＯＬ４の偏光軸ＰＯＬＡ４と略平行であり、行方向に延在する第２ゲート配線ＧＬ２は、第３偏光板ＰＯＬ３の偏光軸ＰＯＬＡ３と略平行である。
【０２３８】
また、図２９（ｂ）に示すように、本変形例における第２液晶表示パネルＬＣＤ２では、第２液晶層ＬＣ２の液晶分子ＬＣＢＮは、ネガ型である。なお、本変形例でも、第２液晶層ＬＣ２の液晶分子ＬＣＢＮに対する第３基板ＳＵＢ３及び第４基板ＳＵＢ４の配向軸は、略平行になっている。
【０２３９】
本変形例において、第２液晶層ＬＣ２における初期配向状態の液晶分子ＬＣＢＮＯＦＦの初期配向軸（長軸方向）は、第２ゲート配線ＧＬ２と略平行、つまり列方向（０°−１８０°線）となるように設定している。液晶分子ＬＣＢＮＯＦＦの初期配向角度ＴＨＩＮは、これを基準にして、０°＜ＴＨＩＮ＜２０°の範囲で、右回転（時計回り）となるように設定されている。つまり、第２液晶層ＬＣ２の液晶分子ＬＣＢＮの回転方向は、第１液晶層ＬＣ１の液晶分子ＬＣＢＰの回転方向と逆方向となっている。なお、第２液晶層ＬＣ２の液晶分子ＬＣＢＮＯＦＦの長軸方向は、第３偏光板ＰＯＬ３の偏光軸（吸収軸）ＰＯＬＡ３の方向に略一致している。
【０２４０】
本変形例でも、第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生するが、本変形例では、第１液晶セルＯＣ１で発生する横電界ＥＬ１と略直交する方向に横電界ＥＬ２が発生する。
【０２４１】
横電界ＥＬ２が発生すると、初期配向角度ＴＨＩＮにしたがって、第２液晶層ＬＣ２の液晶分子ＬＣＢＮが回転する。具体的には、横電界ＥＬ２が発生すると、液晶分子ＬＣＢＮは、液晶分子ＬＣＢＮＯＦＦの状態から所定の角度（例えば４５°）の位置まで右回転して液晶分子ＬＣＢＮＯＮの状態（白表示）になる。
【０２４２】
本変形例における液晶表示装置ＬＣＤでは、上記実施の形態３の変形例１と同様に、第１液晶表示パネルＬＣＤ１における第１基板ＳＵＢ１及び第２基板ＳＵＢ２の配向軸と、第２液晶表示パネルＬＣＤ２における第３基板ＳＵＢ３及び第４基板ＳＵＢ４の配向軸とが略平行となっている。これにより、第１液晶セルＯＣ１及び第２液晶セルＯＣ２に横電界ＥＬ１及びＥＬ２が発生していない場合に、第１液晶層ＬＣ１の液晶分子ＬＣＢＰの長軸方向（配向軸方向）と、第２液晶層ＬＣ２の液晶分子ＬＣＢＰの長軸方向（配向軸方向）とが略一致する。
【０２４３】
そして、第１液晶セルＯＣ１の第１ドットＤＯＴ１における第１画素電極ＰＸ１及び第１共通電極ＣＴ１に電圧が印加されるとともに、第２液晶セルＯＣ２の第２ドットＤＯＴ２における第２画素電極ＰＸ２及び第２共通電極ＣＴ２に電圧が印加されると、第１ドットＤＯＴ１には一方向のみの横電界ＥＬ１が発生するとともに、第２ドットＤＯＴ２にも一方向のみの横電界ＥＬ２が発生する。このとき、本変形例では、第１ドットＤＯＴ１に発生する横電界ＥＬ１の電界方向と、第２ドットＤＯＴ２に発生する横電界ＥＬ２の電界方向とは略直交している。
【０２４４】
このような横電界ＥＬ１及びＥＬ２が発生すると、第１液晶層ＬＣ１の第１ドットＤＯＴ１の液晶分子ＬＣＢＰが回転するとともに、第２液晶層ＬＣ２の第２ドットＤＯＴ２の液晶分子ＬＣＢＮが回転する。本変形例では、第１液晶層ＬＣ１の液晶分子ＬＣＢＰの回転方向と第２液晶セルＯＣ２の液晶分子ＬＣＢＰの回転方向とが逆方向であり、第１液晶層ＬＣ１の液晶分子ＬＣＢＰは左回転し、第２液晶セルＯＣ２の液晶分子ＬＣＢＮは右回転する。
【０２４５】
これにより、第１液晶セルＯＣ１に発生する横電界ＥＬ１によって左回転した液晶分子ＬＣＢＰＯＮの長軸方向と、第２液晶セルＯＣ２に発生する横電界ＥＬ２によって右回転した液晶分子ＬＣＢＮＯＮの長軸方向とが略直交する状態となる。つまり、第１液晶セルＯＣ１に横電界ＥＬ１が発生し、かつ、第２液晶セルＯＣ２に横電界ＥＬ２が発生している場合、第１液晶層ＬＣ１の液晶分子ＬＣＢＰＯＮの長軸方向と、第２液晶層ＬＣ２の液晶分子ＬＣＢＮＯＮの短軸方向とが略一致している。
【０２４６】
したがって、上記実施の形態３と同様に、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＰ（液晶分子ＬＣＢＮＯＮ）とによって相殺補償することができる。したがって、液晶表示装置ＬＣＤの表示画面全体における所定の方向の色付きが相殺されて色視野角特性を改善することができる。
【０２４７】
このように、本変形例における液晶表示装置ＬＣＤでも、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償するように構成されている。
【０２４８】
また、本変形例における液晶表示装置ＬＣＤでも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＮは、いずれもシングルドメイン方式により駆動され、第１ドットＤＯＴ１及び第２ドットＤＯＴ２の主な透過領域では、一方向に回転する。これにより、一画素マルチドメイン方式と比べて透過率を向上させることができる。また、行毎マルチドメイン方式のように特定の画像パターン表示について色視野角特性が劣化することもない。
【０２４９】
したがって、本変形例における液晶表示装置ＬＣＤでも、透過率を低下させることなく、画像表示パターンによらず色視野角特性を改善することができる。
【０２５０】
また、本変形例でも、第１偏光板ＰＯＬ１の偏光軸ＰＯＬＡ１が列方向（９０°−２７０°線）と略一致し、第２偏光板ＰＯＬ２の偏光軸ＰＯＬＡ２が行方向（０°−１８０°線）と略一致している。また、第３偏光板ＰＯＬ３の偏光軸ＰＯＬＡ３が行方向（０°−１８０°線）と略一致し、第４偏光板ＰＯＬ４の偏光軸ＰＯＬＡ４が列方向（９０°−２７０°線）と略一致している。したがって、上記実施の形態３の変形例１と同様に、大判の偏光板シートを斜めにカットすることなく矩形状にカットすることができるので、偏光板の取得率を上げることができる。
【０２５１】
（実施の形態３の変形例３）
次に、実施の形態３の変形例２に係る液晶表示装置ＬＣＤについて、図３０及び図３１を用いて説明する。
【０２５２】
図３０（ａ）は、実施の形態３の変形例３に係る第１液晶表示パネルＬＣＤ１の画素ＵＤＯＴ１のレイアウトを示す図であり、図３０（ｂ）は、実施の形態３の変形例３に係る第１液晶セルＯＣ１の第１液晶層ＬＣ１における液晶分子ＬＣＢＰの回転の動きを示す図である。図３１（ａ）は、実施の形態３の変形例３に係る第２液晶表示パネルＬＣＤ２の画素ＬＤＯＴ２のレイアウトを示す図であり、図３１（ｂ）は、実施の形態３の変形例３に係る第２液晶セルＯＣ２の第２液晶層ＬＣ２における液晶分子ＬＣＢＰの回転の動きを示す図である。
【０２５３】
図３０の（ａ）及び（ｂ）に示すように、本変形例において、第１液晶表示パネルＬＣＤ１は、上記実施の形態３における第１液晶表示パネルＬＣＤ１と同じである。
【０２５４】
一方、図３１の（ａ）及び（ｂ）に示すように、本変形例における第２液晶表示パネルＬＣＤ２は、上記実施の形態３における第２液晶表示パネルＬＣＤ２と異なる。
【０２５５】
具体的には、図３１（ａ）に示すように、本変形例における第２液晶表示パネルＬＣＤ２では、横電界ＥＬ２が第１液晶セルＯＣ１で発生する横電界ＥＬ１の方向と略直交する方向で発生するように第２画素電極ＰＸ２が右上がりで傾斜するように延在している。
【０２５６】
また、本変形例でも、列方向に延在する第１ソース配線ＳＬ１は、第４偏光板ＰＯＬ４の偏光軸ＰＯＬＡ４と略平行であり、行方向に延在する第２ゲート配線ＧＬ２は、第３偏光板ＰＯＬ３の偏光軸ＰＯＬＡ３と略平行である。
【０２５７】
また、図３１（ｂ）に示すように、本変形例における第２液晶表示パネルＬＣＤ２では、第２液晶層ＬＣ２の液晶分子ＬＣＢＰは、ポジ型である。なお、本変形例でも、第２液晶層ＬＣ２の液晶分子ＬＣＢＰに対する第３基板ＳＵＢ３及び第４基板ＳＵＢ４の配向軸は、略平行になっている。
【０２５８】
本変形例において、第２液晶層ＬＣ２における初期配向状態の液晶分子ＬＣＢＰＯＦＦの初期配向軸（長軸方向）は、第２ソース配線ＳＬ２と略平行、つまり列方向（９０°−２７０°線）となるように設定している。液晶分子ＬＣＢＰＯＦＦの初期配向角度ＴＨＩＮは、これを基準にして、０°＜ＴＨＩＮ＜２０°の範囲で、左回転（反時計回り）となるように設定されている。つまり、第２液晶層ＬＣ２の液晶分子ＬＣＢＰの回転方向は、第１液晶層ＬＣ１の液晶分子ＬＣＢＰの回転方向と同じ方向となっている。なお、第２液晶層ＬＣ２の液晶分子ＬＣＢＰＯＦＦの長軸方向は、第４偏光板ＰＯＬ４の偏光軸（吸収軸）ＰＯＬＡ４の方向に略一致している。
【０２５９】
本変形例でも、第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生するが、本変形例では、第１液晶セルＯＣ１で発生する横電界ＥＬ１と略直交する方向に横電界ＥＬ２が発生する。
【０２６０】
横電界ＥＬ２が発生すると、初期配向角度ＴＨＩＮにしたがって、第２液晶層ＬＣ２の液晶分子ＬＣＢＰが回転する。具体的には、横電界ＥＬ２が発生すると、液晶分子ＬＣＢＰは、液晶分子ＬＣＢＰＯＦＦの状態から所定の角度（例えば４５°）の位置まで左回転して液晶分子ＬＣＢＰＯＮの状態（白表示）になる。
【０２６１】
本変形例における液晶表示装置ＬＣＤでは、第１液晶表示パネルＬＣＤ１における第１基板ＳＵＢ１及び第２基板ＳＵＢ２の配向軸と、第２液晶表示パネルＬＣＤ２における第３基板ＳＵＢ３及び第４基板ＳＵＢ４の配向軸とが略直交している。これにより、第１液晶セルＯＣ１及び第２液晶セルＯＣ２に横電界ＥＬ１及びＥＬ２が発生していない場合に、第１液晶層ＬＣ１の液晶分子ＬＣＢＰの長軸方向（配向軸方向）と、第２液晶層ＬＣ２の液晶分子ＬＣＢＰの長軸方向（配向軸方向）とが略直交する。
【０２６２】
そして、第１液晶セルＯＣ１の第１ドットＤＯＴ１における第１画素電極ＰＸ１及び第１共通電極ＣＴ１に電圧が印加されるとともに、第２液晶セルＯＣ２の第２ドットＤＯＴ２における第２画素電極ＰＸ２及び第２共通電極ＣＴ２に電圧が印加されると、第１ドットＤＯＴ１には一方向のみの横電界ＥＬ１が発生するとともに、第２ドットＤＯＴ２にも一方向のみの横電界ＥＬ２が発生する。このとき、本変形例では、第１ドットＤＯＴ１に発生する横電界ＥＬ１の電界方向と、第２ドットＤＯＴ２に発生する横電界ＥＬ２の電界方向とは略直交している。
【０２６３】
このような横電界ＥＬ１及びＥＬ２が発生すると、第１液晶層ＬＣ１の第１ドットＤＯＴ１の液晶分子ＬＣＢＰが回転するとともに、第２液晶層ＬＣ２の第２ドットＤＯＴ２の液晶分子ＬＣＢＰが回転する。本変形例では、第１液晶層ＬＣ１の液晶分子ＬＣＢＰの回転方向と第２液晶セルＯＣ２の液晶分子ＬＣＢＰの回転方向とが同じで、いずれも左回転である。
【０２６４】
これにより、第１液晶セルＯＣ１に発生する横電界ＥＬ１によって左回転した液晶分子ＬＣＢＰＯＮの長軸方向と、第２液晶セルＯＣ２に発生する横電界ＥＬ２によって左回転した液晶分子ＬＣＢＰＯＮの長軸方向とが略直交する状態となる。つまり、第１液晶セルＯＣ１に横電界ＥＬ１が発生し、かつ、第２液晶セルＯＣ２に横電界ＥＬ２が発生している場合、第１液晶層ＬＣ１の液晶分子ＬＣＢＰＯＮの長軸方向と、第２液晶層ＬＣ２の液晶分子ＬＣＢＰＯＮの短軸方向とが略一致している。
【０２６５】
したがって、上記実施の形態３と同様に、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＰ（液晶分子ＬＣＢＰＯＮ）とによって相殺補償することができる。したがって、液晶表示装置ＬＣＤの表示画面全体における所定の方向の色付きが相殺されて色視野角特性を改善することができる。
【０２６６】
このように、本変形例における液晶表示装置ＬＣＤでも、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償するように構成されている。
【０２６７】
また、本変形例における液晶表示装置ＬＣＤでも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＮは、いずれもシングルドメイン方式により駆動され、第１ドットＤＯＴ１及び第２ドットＤＯＴ２の主な透過領域では、一方向に回転する。これにより、一画素マルチドメイン方式と比べて透過率を向上させることができる。また、行毎マルチドメイン方式のように特定の画像パターン表示について色視野角特性が劣化することもない。
【０２６８】
したがって、本変形例における液晶表示装置ＬＣＤでも、透過率を低下させることなく、画像表示パターンによらず色視野角特性を改善することができる。
【０２６９】
また、本変形例でも、第１偏光板ＰＯＬ１の偏光軸ＰＯＬＡ１が列方向（９０°−２７０°線）と略一致し、第２偏光板ＰＯＬ２の偏光軸ＰＯＬＡ２が行方向（０°−１８０°線）と略一致している。また、第３偏光板ＰＯＬ３の偏光軸ＰＯＬＡ３が行方向（０°−１８０°線）と略一致し、第４偏光板ＰＯＬ４の偏光軸ＰＯＬＡ４が列方向（９０°−２７０°線）と略一致している。したがって、上記実施の形態３の変形例１と同様に、大判の偏光板シートを斜めにカットすることなく矩形状にカットすることができるので、偏光板の取得率を上げることができる。
【０２７０】
（実施の形態４）
次に、実施の形態４に係る液晶表示装置ＬＣＤについて説明する。
【０２７１】
図３２Ａは、実施の形態４に係る液晶表示装置ＬＣＤにおける第１液晶表示パネルＬＣＤ１の概略構成を模式的に示す図であり、図３２Ｂは、図３２Ａにおける第１液晶表示パネルＬＣＤ１の１つ分の画素ＵＤＯＴ１の回路構成を示す図である。また、図３３Ａは、同液晶表示装置ＬＣＤにおける第２液晶表示パネルＬＣＤ２の概略構成を模式的に示す図であり、図３３Ｂは、図３３Ａにおける第２液晶表示パネルＬＣＤ２の１つ分の画素ＬＤＯＴ２の回路構成を示す図である。
【０２７２】
本実施の形態に係る液晶表示装置ＬＣＤは、実施の形態１に係る液晶表示装置を行毎マルチドメイン方式に対応させた構成になっている。つまり、第１液晶表示パネルＬＣＤ１及び第２液晶表示パネルＬＣＤ２は、行毎マルチドメイン方式により駆動される。
【０２７３】
図３２Ａ及び図３２Ｂに示すように、第１液晶表示パネルＬＣＤ１では、第１画像表示領域ＤＩＳＰ１における各第１ドットＤＯＴ１の配線外形輪郭が長方形ではなく平行四辺形になっている。そして、マトリクス状に配列された複数の第１ドットＤＯＴ１は、行方向には同じ向きで配列されており、列方向には一行毎に反転して逆向きとなるように配列されている。つまり、列方向の複数の第１ドットＤＯＴ１は、シェブロンストライプ状となっている。
【０２７４】
また、図３３Ａ及び図３３Ｂに示すように、第２液晶表示パネルＬＣＤ２においても、第２画像表示領域ＤＩＳＰ２における各第２ドットＤＯＴ２の配線外形輪郭が長方形ではなく平行四辺形になっている。そして、マトリクス状に配列された複数の第２ドットＤＯＴ２は、第１ドットＤＯＴ１に対応するように、行方向には同じ向きで配列されており、列方向には一行毎に反転して逆向きとなるように配列されている。つまり、列方向の複数の第２ドットＤＯＴ２は、シェブロンストライプ状となっている。
【０２７５】
次に、本実施の形態に係る液晶表示装置ＬＣＤのドット（画素）のレイアウト及び液晶分子の動きについて、図３４及び図３５を用いて説明する。
【０２７６】
図３４（ａ）は、実施の形態４に係る第１液晶表示パネルＬＣＤ１の画素ＵＤＯＴ１のレイアウトを示す図であり、図３４（ｂ）は、実施の形態４に係る第１液晶セルＯＣ１の第１液晶層ＬＣ１における液晶分子ＬＣＢＰの回転の動きを示す図である。図３５（ａ）は、実施の形態４に係る第２液晶表示パネルＬＣＤ２の画素ＬＤＯＴ２のレイアウトを示す図であり、図３５（ｂ）は、実施の形態４に係る第２液晶セルＯＣ２の第２液晶層ＬＣ２における液晶分子ＬＣＢＮの回転の動きを示す図である。
【０２７７】
図３４（ａ）に示すように、本実施の形態における第１液晶表示パネルＬＣＤ１では、上記実施の形態１と同様に、第１ゲート配線ＧＬ１は行方向に延在しているが、上記実施の形態１と異なり、第１ソース配線ＳＬ１及び第１画素電極ＰＸ１は、９０°−２７０°線に対して傾斜するように延在している。具体的には、第１ソース配線ＳＬ１及び第１画素電極ＰＸ１は、互いに平行で、かつ、行毎に傾斜角が反転するように折れ曲がるように形成されている。つまり、第１ソース配線ＳＬ１は、シェブロンストライプ状に形成されている。
【０２７８】
また、図３４（ｂ）に示すように、第１液晶表示パネルＬＣＤ１では、第１液晶層ＬＣ１の液晶分子ＬＣＢＰは、ポジ型である。なお、本実施の形態でも、第１液晶層ＬＣ１の液晶分子ＬＣＢＰに対する第１基板ＳＵＢ１及び第２基板ＳＵＢ２の配向軸は、略平行になっている。
【０２７９】
本実施の形態でも、第１画素電極ＰＸ１及び第１共通電極ＣＴ１に電圧が印加されると、第１画素電極ＰＸ１と第１共通電極ＣＴ１との間に第１基板ＳＵＢ１及び第２基板ＳＵＢ２に略平行な方向の電界（横電界ＥＬ１）が発生するが、本実施の形態では、第１画素電極ＰＸ１が行毎に傾斜角が反転するように形成されているので、図３４（ｂ）に示すように、行毎に異なる２方向の横電界ＥＬ１が発生する。このような横電界ＥＬ１が発生すると、液晶分子ＬＣＢＰは、行毎に左回転と右回転とを繰り返すように回転する。
【０２８０】
図３５（ａ）に示すように、第２液晶表示パネルＬＣＤ２でも、第２ソース配線ＳＬ２及び第２画素電極ＰＸ２は、互いに平行で、かつ、行毎に傾斜角が反転するように折れ曲がるように形成されている。また、第２ソース配線ＳＬ２及び第２画素電極ＰＸ２は、第１液晶セルＯＣ１における第１ソース配線ＳＬ１及び第１画素電極ＰＸ１と同じ方向に折れ曲がるように形成されている。つまり、第２ソース配線ＳＬ２は、シェブロンストライプ状に形成されている。
【０２８１】
また、図３５（ｂ）に示すように、第２液晶表示パネルＬＣＤ２では、第２液晶層ＬＣ２の液晶分子ＬＣＢＮは、ネガ型である。なお、本実施の形態でも、第２液晶層ＬＣ２の液晶分子ＬＣＢＮに対する第３基板ＳＵＢ３及び第４基板ＳＵＢ４の配向軸は、略平行になっている。
【０２８２】
本実施の形態でも、第２画素電極ＰＸ２及び第２共通電極ＣＴ２に電圧が印加されると、第２画素電極ＰＸ２と第２共通電極ＣＴ２との間に第３基板ＳＵＢ３及び第４基板ＳＵＢ４に略平行な方向の電界（横電界ＥＬ２）が発生するが、本実施の形態では、第２画素電極ＰＸ２が行毎に傾斜角が反転するように形成されているので、図３５（ｂ）に示すように、行毎に異なる２方向の横電界ＥＬ２が発生する。このような横電界ＥＬ２が発生すると、液晶分子ＬＣＢＮは、行毎に左回転と右回転とを繰り返すように回転する。
【０２８３】
このように、本実施の形態における液晶表示装置ＬＣＤでは、第１液晶セルＯＣ１及び第２液晶セルＯＣ２に横電界ＥＬ１及びＥＬ２が発生していない場合に、第１液晶層ＬＣ１の液晶分子ＬＣＢＰの長軸方向（配向軸方向）と第２液晶層ＬＣ２の液晶分子ＬＣＢＮの長軸方向（配向軸方向）とが行毎に略直交している。
【０２８４】
そして、第１液晶セルＯＣ１の第１ドットＤＯＴ１における第１画素電極ＰＸ１及び第１共通電極ＣＴ１に電圧が印加されるとともに、第２液晶セルＯＣ２の第２ドットＤＯＴ２における第２画素電極ＰＸ２及び第２共通電極ＣＴ２に電圧が印加されると、第１ドットＤＯＴ１には一方向のみの横電界ＥＬ１が発生するとともに、第２ドットＤＯＴ２にも一方向のみの横電界ＥＬ２が発生する。このとき、本実施の形態でも、第１ドットＤＯＴ１に発生する横電界ＥＬ１の電界方向と、第１ドットＤＯＴ１に重なる第２ドットＤＯＴ２に発生する横電界ＥＬ２の電界方向とが略同じになっている。
【０２８５】
このような横電界ＥＬ１及びＥＬ２が発生すると、第１液晶層ＬＣ１の第１ドットＤＯＴ１の液晶分子ＬＣＢＰが行毎に左回転と右回転とが交互に繰り返されるとともに、第２液晶層ＬＣ２の第２ドットＤＯＴ２の液晶分子ＬＣＢＮが行毎に左回転と右回転とが交互に繰り返される。
【０２８６】
これにより、積層された第１液晶セルＯＣ１と第２液晶セルＯＣ２とについては、対応する第１ドットＤＯＴ１と第２ドットＤＯＴ２毎に、第１液晶セルＯＣ１に発生する横電界ＥＬ１によって左回転又は右回転した液晶分子ＬＣＢＰＯＮの長軸方向と、第２液晶セルＯＣ２に発生する横電界ＥＬ２によって左回転又は右回転した液晶分子ＬＣＢＮＯＮの長軸方向とが略直交する状態となる。つまり、第１液晶セルＯＣ１に横電界ＥＬ１が発生し、かつ、第２液晶セルＯＣ２に横電界ＥＬ２が発生している場合、第１液晶セルＯＣ１と第２液晶セルＯＣ２とで対応するドット毎に、第１液晶層ＬＣ１の液晶分子ＬＣＢＰＯＮの長軸方向と、第２液晶層ＬＣ２の液晶分子ＬＣＢＮＯＮの短軸方向とが略一致している。
【０２８７】
この結果、実施の形態１と同様に、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＮ（液晶分子ＬＣＢＮＯＮ）とによって相殺補償することができる。したがって、液晶表示装置ＬＣＤの表示画面全体における所定の方向の色付きが相殺されて色視野角特性を改善することができる。
【０２８８】
このように、本実施の形態における液晶表示装置ＬＣＤでも、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償するように構成されている。
【０２８９】
つまり、本実施の形態における液晶表示装置ＬＣＤでも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＮは、いずれもシングルドメイン方式により駆動され、第１ドットＤＯＴ１及び第２ドットＤＯＴ２の主な透過領域では、一方向に回転する。これにより、一画素マルチドメイン方式と比べて透過率を向上させることができる。また、行毎マルチドメイン方式のように特定の画像パターン表示について色視野角特性が劣化することもない。
【０２９０】
したがって、本実施の形態における液晶表示装置ＬＣＤでは、透過率を低下させることなく、画像表示パターンによらず色視野角特性を改善することができる。
【０２９１】
しかも、本実施の形態では、第１液晶セルＯＣ１及び第２液晶セルＯＣ２が行毎マルチドメイン方式により駆動されている。これにより、第１液晶セルＯＣ１の第１ドットＤＯＴ１と第２液晶セルＯＣ２の第２ドットＤＯＴ２とで色視野角特性を改善するだけではなく、第１液晶セルＯＣ１及び第２液晶セルＯＣ２において隣接する２つの行でも色視野角特性を改善することができる。
【０２９２】
したがって、実施の形態における液晶表示装置ＬＣＤは、実施の形態１〜３における液晶表示装置ＬＣＤと比べて、さらに色視野角特性を改善することができる。
【０２９３】
（実施の形態４の変形例１）
次に、実施の形態４の変形例１に係る液晶表示装置ＬＣＤについて、図３６を用いて説明する。
【０２９４】
本変形例に係る液晶表示装置ＬＣＤと上記実施の形態４に係る液晶表示装置ＬＣＤとは、第２液晶表示パネルＬＣＤ２の構成が異なる。つまり、本変形例において、第１液晶表示パネルＬＣＤ１は、上記実施の形態４における第１液晶表示パネルＬＣＤ１と同じ構成である。
【０２９５】
図３６（ａ）は、実施の形態４の変形例１に係る第２液晶表示パネルＬＣＤ２の画素ＬＤＯＴ２のレイアウトを示す図であり、図３６（ｂ）は、実施の形態４の変形例１に係る第２液晶セルＯＣ２の第２液晶層ＬＣ２における液晶分子ＬＣＢＰの回転の動きを示す図である。
【０２９６】
図３６の（ａ）に示すように、本変形例における第２液晶表示パネルＬＣＤ２において、第２画素電極ＰＸ２は、上記実施の形態４における第２画素電極ＰＸ２と同様に、行毎に傾斜角が反転するように形成されているが、上記実施の形態４における第２画素電極ＰＸ２とは、各第１ドットＤＯＴ１における傾斜角が異なっている。具体的には、本変形例における第２画素電極ＰＸ２は、行毎に傾斜角が反転している第１ソース電極ＳＬ１と直交するように延在している。
【０２９７】
また、図３６（ｂ）に示すように、第２液晶表示パネルＬＣＤ２では、第２液晶層ＬＣ２の液晶分子ＬＣＢＰは、ポジ型である。つまり、本変形例では、第１液晶層ＬＣ１（不図示）の液晶分子ＬＣＢＰ及び第２液晶層ＬＣ２の液晶分子ＬＣＢＰは、いずれもポジ型である。
【０２９８】
本変形例でも、上記実施の形態４と同様に、第２画素電極ＰＸ２及び第２共通電極ＣＴ２に電圧が印加されると、図３６（ｂ）に示すように、行毎に異なる２方向の横電界ＥＬ２が発生する。このような横電界ＥＬ２が発生すると、液晶分子ＬＣＢＰは、行毎に左回転と右回転とを繰り返すように回転する。
【０２９９】
このように、本変形例における液晶表示装置ＬＣＤでも、横電界ＥＬ１及びＥＬ２が発生すると、上記実施の形態４と同様に、第１液晶層ＬＣ１の第１ドットＤＯＴ１の液晶分子ＬＣＢＰが行毎に左回転と右回転とが交互に繰り返されるとともに、第２液晶層ＬＣ２の第２ドットＤＯＴ２の液晶分子ＬＣＢＰが行毎に左回転と右回転とが交互に繰り返される。
【０３００】
これにより、積層された第１液晶セルＯＣ１と第２液晶セルＯＣ２とについては、対応する第１ドットＤＯＴ１と第２ドットＤＯＴ２毎に、第１液晶セルＯＣ１に発生する横電界ＥＬ１によって左回転又は右回転した液晶分子ＬＣＢＰＯＮの長軸方向と、第２液晶セルＯＣ２に発生する横電界ＥＬ２によって左回転又は右回転した液晶分子ＬＣＢＰＯＮの長軸方向とが略直交する状態となる。
【０３０１】
したがって、実施の形態４と同様に、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＰ（液晶分子ＬＣＢＰＯＮ）とによって相殺補償することができる。これにより、液晶表示装置ＬＣＤの表示画面全体における所定の方向の色付きが相殺されて色視野角特性を改善することができる。
【０３０２】
このように、本変形例における液晶表示装置ＬＣＤでも、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＰの回転とによって相殺補償するように構成されている。
【０３０３】
つまり、本変形例における液晶表示装置ＬＣＤでも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＰは、いずれもシングルドメイン方式により駆動され、第１ドットＤＯＴ１及び第２ドットＤＯＴ２の主な透過領域では、一方向に回転する。これにより、一画素マルチドメイン方式と比べて透過率を向上させることができる。また、行毎マルチドメイン方式のように特定の画像パターン表示について色視野角特性が劣化することもない。
【０３０４】
したがって、本変形例における液晶表示装置ＬＣＤでも、透過率を低下させることなく、画像表示パターンによらず色視野角特性を改善することができる。
【０３０５】
しかも、本変形例でも、第１液晶セルＯＣ１及び第２液晶セルＯＣ２が行毎マルチドメイン方式により駆動されている。したがって、本変形例における液晶表示装置ＬＣＤは、実施の形態１〜３における液晶表示装置ＬＣＤと比べて、さらに色視野角特性を改善することができる。
【０３０６】
（実施の形態４の変形例２）
次に、実施の形態４の変形例２に係る液晶表示装置ＬＣＤについて、図３７を用いて説明する。
【０３０７】
本変形例に係る液晶表示装置ＬＣＤと上記実施の形態４に係る液晶表示装置ＬＣＤとは、第２液晶表示パネルＬＣＤ２の構成が異なる。つまり、本変形例において、第１液晶表示パネルＬＣＤ１は、上記実施の形態４における第１液晶表示パネルＬＣＤ１と同じ構成である。
【０３０８】
図３７（ａ）は、実施の形態４の変形例２に係る第２液晶表示パネルＬＣＤ２の画素ＬＤＯＴ２のレイアウトを示す図であり、図３７（ｂ）は、実施の形態４の変形例２に係る第２液晶セルＯＣ２の第２液晶層ＬＣ２における液晶分子ＬＣＢＮの回転の動きを示す図である。
【０３０９】
図３７（ａ）に示すように、本変形例における第２液晶表示パネルＬＣＤ２では、第２画素電極ＰＸ２は、上記実施の形態４における第２画素電極ＰＸ２と同様に、行毎に傾斜角が反転するように形成されているが、上記実施の形態４における第２画素電極ＰＸ２とは、各第２ドットＤＯＴ２における傾斜角が異なっている。
【０３１０】
また、図３７（ｂ）に示すように、第２液晶表示パネルＬＣＤ２では、第２液晶層ＬＣ２の液晶分子ＬＣＢＮは、ネガ型である。
【０３１１】
本変形例でも、上記実施の形態４と同様に、第２画素電極ＰＸ２及び第２共通電極ＣＴ２に電圧が印加されると、図３７（ｂ）に示すように、第２画素電極ＰＸ２と第２共通電極ＣＴ２との間に第３基板ＳＵＢ３及び第４基板ＳＵＢ４に略平行な方向の電界（横電界ＥＬ２）が発生するが、本実施の形態では、第２画素電極ＰＸ２が行毎に傾斜角が反転するように形成されているので、図３７（ｂ）に示すように、行毎に異なる２方向の横電界ＥＬ２が発生する。このような横電界ＥＬ２が発生すると、液晶分子ＬＣＢＮは、行毎に右回転と左回転とを繰り返すように回転する。
【０３１２】
このように、本変形例における液晶表示装置ＬＣＤでも、横電界ＥＬ１及びＥＬ２が発生すると、上記実施の形態４と同様に、第１液晶層ＬＣ１の第１ドットＤＯＴ１の液晶分子ＬＣＢＰが行毎に左回転と右回転とが交互に繰り返されるとともに、第２液晶層ＬＣ２の第２ドットＤＯＴ２の液晶分子ＬＣＢＮが行毎に左回転と右回転とが交互に繰り返される。
【０３１３】
これにより、積層された第１液晶セルＯＣ１と第２液晶セルＯＣ２とについては、対応する第１ドットＤＯＴ１と第２ドットＤＯＴ２毎に、第１液晶セルＯＣ１に発生する横電界ＥＬ１によって左回転又は右回転した液晶分子ＬＣＢＰＯＮの長軸方向と、第２液晶セルＯＣ２に発生する横電界ＥＬ２によって左回転又は右回転した液晶分子ＬＣＢＮＯＮの長軸方向とが略直交する状態となる。
【０３１４】
したがって、実施の形態４と同様に、第１液晶セルＯＣ１又は第２液晶セルＯＣ２の色相変化（色付き）を、第１液晶層ＬＣ１の回転後の液晶分子ＬＣＢＰ（液晶分子ＬＣＢＰＯＮ）と、第２液晶層ＬＣ２の回転後の液晶分子ＬＣＢＮ（液晶分子ＬＣＢＮＯＮ）とによって相殺補償することができる。これにより、液晶表示装置ＬＣＤの表示画面全体における所定の方向の色付きが相殺されて色視野角特性を改善することができる。
【０３１５】
このように、本変形例における液晶表示装置ＬＣＤでも、第１液晶セルＯＣ１又は第２液晶セルＯＣ２の色相変化を、第１液晶層ＬＣ１の液晶分子ＬＣＢＰの回転と第２液晶層ＬＣ２の液晶分子ＬＣＢＮの回転とによって相殺補償するように構成されている。
【０３１６】
つまり、本変形例における液晶表示装置ＬＣＤでも、第１液晶セルＯＣ１の１つの第１ドットＤＯＴ１の液晶分子ＬＣＢＰ及び第２液晶セルＯＣ２の１つの第２ドットＤＯＴ２の液晶分子ＬＣＢＮは、いずれもシングルドメイン方式により駆動され、第１ドットＤＯＴ１及び第２ドットＤＯＴ２の主な透過領域では、一方向に回転する。これにより、一画素マルチドメイン方式と比べて透過率を向上させることができる。また、行毎マルチドメイン方式のように特定の画像パターン表示について色視野角特性が劣化することもない。
【０３１７】
したがって、本変形例における液晶表示装置ＬＣＤでも、透過率を低下させることなく、画像表示パターンによらず色視野角特性を改善することができる。
【０３１８】
しかも、本変形例でも、第１液晶セルＯＣ１及び第２液晶セルＯＣ２が行毎マルチドメイン方式により駆動されている。したがって、本変形例における液晶表示装置ＬＣＤは、実施の形態１〜３における液晶表示装置ＬＣＤと比べて、さらに色視野角特性を改善することができる。
【０３１９】
（その他の変形例）
以上、本開示に係る液晶表示装置について、実施の形態１〜４及びその変形例に基づいて説明したが、本開示は、上記実施の形態１〜４及びその変形例に限定されるものではない。
【０３２０】
例えば、上記実施の形態１〜４及びその変形例では、第１画素電極ＰＸ１及び第２画素電極ＰＸ２にスリットを形成して、第１画素電極ＰＸ１及び第２画素電極ＰＸ２を延在するように構成したが、これに限らない。例えば、第１共通電極ＣＴ１及び第２共通電極ＣＴ２にのみスリットを形成して、第１共通電極ＣＴ１及び第２共通電極ＣＴ２のみを延在するように構成してもよいし、第１画素電極ＰＸ１及び第２画素電極ＰＸ２と第１共通電極ＣＴ１及び第２共通電極ＣＴ２との両方を延在するように構成してもよい。この場合、第１画素電極ＰＸ１と第１共通電極ＣＴ１とを櫛歯状に噛み合うように形成してもよい。同様に、第２画素電極ＰＸ２と第２共通電極ＣＴ２とを櫛歯状に噛み合うように形成してもよい。
【０３２１】
また、上記実施の形態１〜４及びその変形例では、第２液晶セルＯＣ２の第２画像表示領域ＤＩＳＰ２の１つの画素ＬＤＯＴ２（第２ドットＤＯＴ２）は、第１液晶セルＯＣ１の第１画像表示領域ＤＩＳＰ１の３つの第１ドットＤＯＴ１に対応するように設定したが、これに限らない。例えば、１つの画素ＬＤＯＴ２（第２ドットＤＯＴ２）が１つの第１ドットＤＯＴ１に対応するように設定されていてもよい。
【０３２２】
その他、上記実施の形態１〜４及びその変形例に対して当業者が思いつく各種変形を施して得られる形態や、本開示の趣旨を逸脱しない範囲で実施の形態１〜４及びその変形例における構成要素及び機能を任意に組み合わせることで実現される形態も本開示に含まれる。
【符号の説明】
【０３２３】
ＬＣＤ  液晶表示装置
ＬＣＤ１  第１液晶表示パネル
ＬＣＤ２  第２液晶表示パネル
ＢＬ  バックライト
ＦＳ  フロントシャーシ
ＭＤ  液晶モジュール
ＳＥＦＩＬ  接着層
ＩＰＵ  画像処理部
ＴＣＯＮ１  第１タイミングコントローラ
ＴＣＯＮ２  第２タイミングコントローラ
ＳＤＣ１  第１ソースドライバ
ＳＤＣ２  第２ソースドライバ
ＧＤＣ１  第１ゲートドライバ
ＧＤＣ２  第２ゲートドライバ
ＳＫＩＢ１、ＳＫＩＢ２  プリント基板
ＳＴＣＰ１、ＳＴＣＰ２  フレキシブル配線基板
ＤＩＳＰ１  第１画像表示領域
ＤＩＳＰ２  第２画像表示領域
ＵＤＯＴ１、ＬＤＯＴ２  画素
ＤＯＴ１  第１ドット
ＤＯＴ２  第２ドット
ＤＯＴＲ  赤色ドット
ＤＯＴＧ  緑色ドット
ＤＯＴＢ  青色ドット
ＯＣ１  第１液晶セル
ＯＣ２  第２液晶セル
ＰＯＬ１  第１偏光板
ＰＯＬ２  第２偏光板
ＰＯＬ３  第３偏光板
ＰＯＬ４  第４偏光板
ＰＯＬＡ１、ＰＯＬＡ２、ＰＯＬＡ３、ＰＯＬＡ４  偏光軸
ＳＵＢ１  第１基板
ＳＵＢ２  第２基板
ＳＵＢ３  第３基板
ＳＵＢ４  第４基板
ＬＣ１  第１液晶層
ＬＣ２  第２液晶層
ＬＣＢＰ  ポジ型の液晶分子
ＬＣＢＮ  ネガ型の液晶分子
ＴＨＩＮ  初期配向角度
ＦＩＬ  カラーフィルタ
ＦＩＬＢ  青色カラーフィルタ
ＦＩＬＧ  緑色カラーフィルタ
ＦＩＬＲ  赤色カラーフィルタ
ＢＭ１  第１ブラックマトリクス
ＢＭ２  第２ブラックマトリクス
ＯＣＴ１  第１オーバーコート層
ＯＣＴ２  第２オーバーコート層
ＳＬ１  第１ソース配線
ＳＬ２  第２ソース配線
ＧＬ１  第１ゲート配線
ＧＬ２  第２ゲート配線
ＣＬ１  第１共通配線
ＣＬ２  第２共通配線
ＣＬＣ１、ＣＬＣ２  液晶容量
ＰＸ１  第１画素電極
ＰＸ２  第２画素電極
ＳＬＩＴ１、ＳＬＩＴ２  スリット
ＣＴ１  第１共通電極
ＣＴ２  第２共通電極
ＥＬ１、ＥＬ２  横電界
ＴＦＴ１  第１薄膜トランジスタ
ＴＦＴ２  第２薄膜トランジスタ
Ｇ１  第１ゲート電極
Ｇ２  第２ゲート電極
Ｓ１  第１ソース電極
Ｓ２  第２ソース電極
Ｄ１  第１ドレイン電極
Ｄ２  第２ドレイン電極
ＣＯＮＴ  コンタクトホール
ＧＳＮ１、ＧＳＮ２  ゲート絶縁膜
ＰＡＳ１、ＰＡＳ２  保護膜
ＯＰＡＳ１、ＯＰＡＳ２  有機膜
ＵＰＡＳ  上部絶縁膜
ＵＰＡＳ１、ＵＰＡＳ２  保護膜
【図１】
2018097155.tif 000003
【図２】
2018097155.tif 000004
【図３】
2018097155.tif 000005
【図４】
2018097155.tif 000006
【図５Ａ】
2018097155.tif 000007
【図５Ｂ】
2018097155.tif 000008
【図６Ａ】
2018097155.tif 000009
【図６Ｂ】
2018097155.tif 000010
【図７】
2018097155.tif 000011
【図８】
2018097155.tif 000012
【図９】
2018097155.tif 000013
【図１０】
2018097155.tif 000014
【図１１】
2018097155.tif 000015
【図１２】
2018097155.tif 000016
【図１３】
2018097155.tif 000017
【図１４】
2018097155.tif 000018
【図１５】
2018097155.tif 000019
【図１６Ａ】
2018097155.tif 000020
【図１６Ｂ】
2018097155.tif 000021
【図１７Ａ】
2018097155.tif 000022
【図１７Ｂ】
2018097155.tif 000023
【図１８】
2018097155.tif 000024
【図１９】
2018097155.tif 000025
【図２０】
2018097155.tif 000026
【図２１】
2018097155.tif 000027
【図２２】
2018097155.tif 000028
【図２３】
2018097155.tif 000029
【図２４】
2018097155.tif 000030
【図２５】
2018097155.tif 000031
【図２６】
2018097155.tif 000032
【図２７】
2018097155.tif 000033
【図２８】
2018097155.tif 000034
【図２９】
2018097155.tif 000035
【図３０】
2018097155.tif 000036
【図３１】
2018097155.tif 000037
【図３２Ａ】
2018097155.tif 000038
【図３２Ｂ】
2018097155.tif 000039
【図３３Ａ】
2018097155.tif 000040
【図３３Ｂ】
2018097155.tif 000041
【図３４】
2018097155.tif 000042
【図３５】
2018097155.tif 000043
【図３６】
2018097155.tif 000044
【図３７】
2018097155.tif 000045
【図３８Ａ】
2018097155.tif 000046
【図３８Ｂ】
2018097155.tif 000047
【図３９】
2018097155.tif 000048
【図４０】
2018097155.tif 000049
【図４１】
2018097155.tif 000050
【図４２】
2018097155.tif 000051
【図４３】
2018097155.tif 000052